(57)【特許請求の範囲】
【請求項１】
前方領域、後方領域および前方領域と後方領域との間の股領域を有する使い捨て衣料品であって、下記を備える使い捨て衣料品：
トップシート、トップシートに接合されたバックシート、およびトップシートとバックシートとの間に挿入された吸収性コアを備えるシャシーであって、シャシーはサイド縁およびウエスト縁を有する中央パネル、ならびに前方領域および後方領域において中央パネルの各サイド縁から側面方向で外向きに伸張する耳パネルを有し、このとき耳パネルが伸張性耳を形成するように伸張性にされているシャシー、
上方端縁、下方端縁、内サイド縁および外サイド縁を有する伸張性耳であって、このとき外サイド縁は内サイド縁に対して平行ではなく、衣料品の長手方向中心線に対して平行ではなく、さらに上方端縁の近くで側面方向で外向きに突き出しており、このとき内サイド縁および外サイド縁の間の伸張性耳の側方幅は下方端縁の近くより上方端縁の近くで大きい伸張性耳、および
１つのウエスト開口部と２つのレッグ開口部を形成できるように外サイド縁に沿って使い捨て衣料品の反対側領域における対応する部分へ各耳パネルを接合する継ぎ目であって、このとき継ぎ目が長手方向中心線に平行ではない継ぎ目。
【請求項２】
耳パネルがウエスト縁を有し、このときシャシーが中央パネルの各ウエスト縁ならびに前方領域および後方領域における耳パネルのウエスト縁から長手方向で外向きに伸びているウエストバンドパネルを有し、このときウエストバンドパネルが伸張性ウエストバンドを形成するために伸張性にさせられている請求項１に記載の使い捨て衣料品。
【請求項３】
伸張性耳がサイドエラストマー材料を備える請求項１に記載の使い捨て衣料品。
【請求項４】
伸張性ウエストバンドがウエストエラストマー材料を備える請求項２に記載の使い捨て衣料品。
【請求項５】
伸張性耳がサイドエラストマー材料を備え、伸張性ウエストバンドがウエストエラストマー材料を備え、このときウエストエラストマー材料およびサイドエラストマー材料が別個の要素で、相互に重複しないように配置されている請求項１に記載の使い捨て衣料品。
【請求項６】
ウエストエラストマー材料がそこに接合させられる前にウエストバンドパネルが最初の長さを有しており、このとき伸張性ウエストバンドがウエストバンドパネルの最初の長さを越えて伸張するように伸張性ウエストバンドが伸張性にさせられている請求項４に記載の使い捨て衣料品。
【請求項７】
ウエストエラストマー材料の少なくとも一部がウエストバンドパネルに接合させられる前に前もって引っ張られている請求項６に記載の使い捨て衣料品。
【請求項８】
伸張性耳が「ゼロ歪み」ストレッチラミネートから形成されている請求項３に記載の使い捨て衣料品。
【請求項９】
サイドエラストマー材料が連続平面層の形状にある請求項３に記載の使い捨て衣料品。
【請求項１０】
サイドエラストマー材料が相互に接続されていないストランドの形状にある請求項３に記載の使い捨て衣料品。
【発明の詳細な説明】
【０００１】
（分野）
本発明は、使い捨て衣料品に関する。そうした使い捨て衣料品の例には、使い捨て肌着、引張り装着型のおむつやトレーニングパンツを含む使い捨ておむつ、および生理用の使い捨てパンティが含まれる。より詳細には、本発明はウエスト開口部周囲に強化伸張性を有する使い捨て衣料品に関する。
【０００２】
（背景）
乳幼児やその他の尿失禁者は、尿やその他の排泄物を受け入れて含有するためにおむつのような使い捨て衣料品を着用する。固定側面を有する引張り装着型衣料品（例、トレーニングパンツまたは引張り装着型おむつ）が一般的になってきている。排泄物を含有するため、ならびに広範囲の身体の形状およびサイズにフィットするためには、これらの衣料品は胴体上の位置から垂れ下がったり、たるんだり、滑り落ちたりすることなく装着者のウエストおよびレッグ（脚の付け根）周囲でピッタリとフィットしなければならなず、ならびに製品がきつ過ぎることが原因で皮膚に刺激を惹起することなく体の大きな装着者にフィットしなければならない。
【０００３】
引張り装着型衣料品の多くのタイプは、ウエストおよびレッグ（脚の付け根）開口部において弾力的に収縮可能な状態で固定された従来型弾性要素を使用している。例えば、「バルーン型」として知られる引張り装着型衣料品は、製品の特定区域では弾性化バンドによって収縮させられており、残りの材料はゆったりと膨らむ傾向を示す。そうした引張り装着型衣料品の例は、１９９２年１２月１５日に公開された米国特許第５，１７１，２３９号および１９８６年９月９日に公開された米国特許第４，６１０，６８１号において開示されている。これらの衣料品は、収縮性の弾性開口部が様々なサイズの装着者に適応するために拡張するという事実のために広範囲のウエストおよびレッグ（脚の付け根）のサイズにフィットするであろう。それでも、このサイズにおける変動を可能にする弾性要素は限定された伸張度を有するので、サイズ範囲は限定される。ウエスト開口部およびレッグ開口部で使用される幅の狭い弾性バンドはさらにまた装着者の身体の狭い区域にフィット力を集中させる傾向を示すので、これは装着者の皮膚締め付け跡の発生増加をもたらす。
【０００４】
また別のタイプの引張り装着型衣料品はサイドパネルを使用している。そうした衣料品の例は、１９９０年７月１０日に公開された米国特許第４，９４０，４６４号、１９９３年９月２１日に公開された米国特許第５，２４６，４３３号、１９９６年８月１３日に公開された米国特許第５，５４５，１５８号、１９９７年１月７日に公開された米国特許第５，５９１，１５５号および１９９３年２月１０日に公開された欧州特許公開第０  ５２６  ８６８  Ａ１号において開示されている。そうした衣料品は、衣料品の前方領域および衣料品の後方領域で側面方向で外向きに伸張するサイドパネルを有する。サイドパネルは内サイド縁および外サイド縁を有し、これらはどちらも相互に対して平行であり、衣料品の長手方向中心線に対して平行である。衣料品はさらにまた１ヵ所のウエスト開口部および２ヵ所のレッグ開口部を形成する目的でサイドパネルの外サイド縁を接合するための継ぎ目を有する。外サイド縁は相互に対して平行であって、さらに衣料品の長手方向中心線に対して平行であるので、サイドパネルに組み込まれた各弾性部は側面方向において同一の幅またはウエスト開口部とレッグ開口部の間のサイドパネル上で同一の利用可能な弾性材料量を有する。このために、これらの衣料品はウエスト開口部の周囲では高度の伸張度を有していないが、ウエスト開口部とレッグ開口部の間では均一の伸張度だけを有している。このため、衣料品がレッグ開口部の周囲で装着者に良好にフィットしてレッグ開口部の周囲で持続性のフィットを提供する場合は、装着者はウエスト開口部の周囲ではきつさを感じ、それによって装着者の皮膚締め付け跡の発生が惹起される。さらに、これらの衣料品は十分な伸張性を有していないので、これらの衣料品は装着者に衣料品を適用するためのより幅広いウエスト開口部を提供しない。これは引張り装着型おむつの適用の困難さを生じさせる。
【０００５】
従って、現行技術はいずれも本発明の全ての長所および利点を提供していない。
【０００６】
（概要）
本発明は、使い捨て衣料品に向けられる。この使い捨て衣料品は前方領域、後方領域および前方領域と後方領域との間の股領域を有する。この使い捨て衣料品はシャシーおよび継目を備える。シャシーはトップシート、トップシートに接合されたバックシート、およびトップシートとバックシートとの間に挿入された吸収性コアを備える。シャシーは、サイド縁およびウエスト縁を有する中央パネル、ならびに前方領域および後方領域において中央パネルの各サイド縁から側面方向で外向きに伸張する耳パネルを有する。耳パネルは伸張性耳を形成するために伸張性にされている。伸張性耳は上方端縁、下方端縁、内サイド縁および外サイド縁を有する。外サイド縁は内サイド縁に対して平行ではなく、衣料品の長手方向中心線に対して平行ではなく、上方端縁の近くで側面方向で外向きに突き出している。内サイド縁と外サイド縁の間の伸張性耳の側方幅は下方端縁の近くより上方端縁の近くの方が厚い。継ぎ目は、１つのウエスト開口部と２つのレッグ開口部を形成できるように外サイド縁に沿って各耳パネルを使い捨て衣料品の反対側の領域にある対応する部分へ接合している。継ぎ目は長手方向中心線に対して平行ではない。
【０００７】
本発明のこれらやその他の特徴、態様および長所は、本開示を読むことによって当業者には明白になるであろう。
【０００８】
（詳細な説明）
引用された全ての参考文献はそれらの全体が参照してここに組み込まれる。あらゆる参考文献の引用は、請求された本発明に対する先行技術としての利用可能性についての何らかの決定に関する許可ではない。
【０００９】
ここで、「引張り装着型衣料品」は、１つの限定されたウエスト開口部と１対のレッグ開口部を有し、さらに脚をレッグ開口部内に挿入して製品をウエストの上方へ引っ張り上げることによって装着者の体に付けられる着用製品を意味する。ここで「使い捨て（できる）」は、吸収性製品として洗濯するまたはさもなければ復元もしくは再使用することが意図されていない（すなわち、それらは使用後に廃棄する、および好ましくはリサイクルする、堆肥にするまたはさもなければ環境に適合する方法で廃棄することが意図されている）吸収性製品を説明するために使用される。「一体型」引張り装着型衣料品は、１つの調和した実体を形成するために一緒に結合された個別パーツから形成される引張り装着型衣料品を意味するが、耳パネルは該衣料品の中央パネルもしくはシャシーを形成する少なくとも１つの層によって耳パネルが形成されている個別シャシーへ接合された個別要素ではない（すなわち、この衣料品は個別シャシーおよび個別耳パネルのような別個に操作可能なパネルを必要としない）。引張り装着型衣料品はさらにまた身体から排出された様々な排泄物を吸収かつ含有するために「吸収性」である。本発明の引張り装着型衣料品のある好ましい実施形態は、図１に示されている引張り装着型おむつ２０である一体型使い捨て吸収性引張り装着型衣料品である。ここで、「引張り装着型おむつ」は、尿および大便を吸収かつ含有するために乳幼児およびその他の尿失禁者によって概して着用される引張り装着型衣料品を意味する。しかし、本発明はさらにトレーニングパンツ、尿失禁用パンツ、女性の生理用衣料品もしくはパンティ等のような他の引張り装着型衣料品にも適用可能であると理解されなければならない。ここで「接合された」もしくは「接合する」は、それによって１つの要素がその要素をもう１つの要素に直接に付着させることによって他の要素に直接的に固定されている形状、およびそれによってその要素を他の要素に順に付着させられる中間部材に付着させることによってその要素が他の要素に間接的に固定されている形状を包含する。
【００１０】
図１、２および３を参照すると、引張り装着型おむつ２０は前方領域２６、後方領域２８および前方領域２６と後方領域２８との間の股領域３０を有する。引張り装着型おむつ２０はさらにまた２本の中心線；長手方向中心線１００および横断中心線１１０を有する。ここで「長手方向」は、引張り装着型おむつ２０が着用されたときに立っている装着者を左半身および右半身に二等分する垂直平面と概して整列している（例えば、ほぼ平行である）引張り装着型おむつ２０の平面における線、軸または方向に関連する。ここで「横断方向」および「側面方向」は置き換え可能であり、長手方向（装着者を左半身および右半身に分ける）に概して垂直であるおむつの平面内にある線、軸もしくは方向に関連する。引張り装着型おむつ２０およびそれの構成要素材料は、さらに使用時に装着者の皮膚に面する身体に面する表面および身体に面する表面に対して反対側の表面である外部に面する表面を有する。
【００１１】
図２は、種々のパネルおよびそれらの相互に関する位置を示している広げられた収縮していない状態にある本発明の使い捨て引張り装着型おむつ２０の簡易平面図を示している。用語「パネル」は、ここでは引張り装着型おむつまたはベルトの領域もしくは要素を表示するために使用されている。（パネルは典型的には別個の領域もしくは要素であるが、パネルは隣接パネルといくらか一致（機能的に対応）する場合がある。）引張り装着型おむつ２０は、メインパネル２と１対のレッグフラップパネル４を備える股領域３０；中央パネル（内側パネル）８、ウエストバンドパネル６、耳パネル１０、および継ぎ目パネル１２を備える前方領域２６；および中央パネル（内側パネル）９、ウエストバンドパネル７、耳パネル１１、および継ぎ目パネル１３を備える後方領域２６を有する。股領域３０は、そこから連続ベルト（他のパネル）が出てくる引張り装着型おむつ２０の部分である。吸収性コアは、排泄物が典型的にはこの領域に排泄されるため概してメインパネル２内に配置されるが、典型的には吸収性コアはベルトの内側パネル８および９内に伸びているであろう。レッグフラップパネル４は、概して側面方向で外向きにメインパネル２の各サイド縁２Ｂからこれに沿って伸びている。各レッグフラップパネル４は、概して弾性レッグ装備の少なくとも一部分を形成する。連続ベルト区域（前方領域２６および後方領域２８）は、概して長手方向で外向きに股領域３０（メインパネル２およびレッグフラップパネル４）の各サイド縁１５９からこれに沿って伸びている。前方領域２６では、内側パネル８（すなわち、中央パネル）が概して長手方向で外向きに股領域３０の各側方縁１５９からこれに沿って伸びている。内側パネル９は、ウエスト縁１９０およびサイド縁１９１を有する。耳パネル１０は、各々が概して側面方向で外向きに内側パネル８（すなわち、中央パネル）のサイド縁１９１からこれに沿って伸びている。耳パネル１０は、ウエスト縁１６１およびサイド縁１７１を有する。ウエストバンドパネル６は、概して長手方向で外向きに内側パネル８（すなわち、中央パネル）のウエスト縁１９０および耳パネル１０のウエスト縁１６１からこれらに沿って伸びている。ウエストバンドパネル６はサイド縁１７５を有する。継ぎ目パネル１２は、各々概して側面方向で外向きに耳パネル１０のサイド縁１７１およびウエストバンドパネル６のサイド縁１７５からこれらに沿って伸びている。後方領域２８では、内側パネル９（すなわち、中央パネル）が概して長手方向で外向きに股領域３０の各側方縁１５９からこれに沿って伸びている。内側パネル９は、ウエスト縁１９２およびサイド縁１９３を有する。耳パネル１１は、各々が概して側面方向で外向きに内側パネル９（すなわち、中央パネル）のサイド縁１９３からこれに沿って伸びている。耳パネル１１は、ウエスト縁１６３およびサイド縁１７３を有する。ウエストバンドパネル７は、概して長手方向で外向きに内側パネル９（すなわち、中央パネル）のウエスト縁１９２および耳パネル１１のウエスト縁１６３からこれらに沿って伸びている。ウエストバンドパネル７は、サイド縁１７７を有する。継ぎ目パネル１３は、各々概して側面方向で外向きに耳パネル１１のサイド縁１７３およびウエストバンドパネル７のサイド縁１７７からこれらに沿って伸びている。前方領域２６は、そのパネルに加えて、さらにウエスト縁１５１、レッグ縁１５３、およびサイド縁１５４を有する。後方領域２８は、そのパネルに加えて、さらにウエスト縁１５３、レッグ縁１５６、およびサイド縁１５７を有する。股領域３０はレッグ縁１５８を有する。
【００１２】
引張り装着型おむつ２０は、主としてシャシー４１、ウエストエラストマー材料（図１、２および３には示されていない）、サイドエラストマー材料（図１、２および３には示されていない）、および継ぎ目３２を備える。引張り装着型おむつ２０は、その配置が継ぎ目３２と内側バリヤーカフ５４を含む弾性化レッグカフとに関連付けられているティアオープンタブ３１を備えることができる。サイドエラストマー材料は、それによって伸張性耳４６および４８を形成するために耳パネル１０および１１の少なくとも一部分を伸張性にさせる。サイドエラストマー材料およびウエストエラストマー材料は相互に別個の要素であり、引張り装着型おむつ２０の長手方向において相互に重ならないように配置される。これによって寸法、伸張、圧力等の調整を許容するようにウエストおよびサイドエラストマー材料のより独立した行動が可能になる。伸張性耳４６および４８と連続伸張性ウエストバンド５７および５８は、少なくとも側面方向に伸張性である。継ぎ目３２は前方領域２６における継ぎ目パネル１２を後方領域２８における継ぎ目パネル１３に接合するが、それによって耳パネル１０は耳パネル１１に接合され、さらにそれによって１つのウエスト開口部３６および２つのレッグ開口部３４が形成される。耳パネル１０が耳パネル１１に接合される形状では、連続伸張性ウエストバンド５７および５９はウエスト開口部３６の周囲で連続伸張性ウエスト装備６０を形成する。さらに、連続ベルト区域３８は前方領域２６および後方領域２８に伸びている。
【００１３】
シャシー４１は、図３および４を参照すると、シャシー４１は吸収性コア２５および吸収性コア２５と結び付けて配置されたトップシート２４やトップシート２４と結び付けられているバックシート２２のような複数の層を備える。吸収性コア２５は、トップシート２４とバックシート２２の間に配置されている。シャシー４１はさらにまた、吸収性コア２５と結び付けて配置された１つ以上の追加の層を含むことができる。トップシート２４は、使用中に装着者の身体に隣接して配置される身体に面する表面を有する。バックシート２２は、装着者の身体から離れて配置される外部に面する表面を有する。好ましくは、バックシート２２は内側バリヤーフィルム６８および不織布外側カバーを備える。シャシー４１は前方領域、後方領域２８、および股領域３０を限定しているので、シャシー４１はさらにまた先に限定された対応する領域およびパネルを有する。（簡易化のために、これらの領域およびパネルは図面において図２に示されている対応する引張り装着型おむつの領域パネルと同様の参照数字によって表示されている。）
トップシート２４およびバックシート２２の内側バリヤーフィルム６８は、吸収性コア２５より概して長い長さおよび幅寸法を有する。トップシート２４および内側バリヤーフィルム６８は、それによってシャシー４１の周囲を形成するために吸収性コア２５のサイド縁および端縁を越えて伸びている。トップシート２４は、引張り装着型おむつ２０のウエスト縁１５１および１５５の間で長手方向に伸びている。トップシート２４、はウエスト端部分２４Ａおよびサイド部分２４Ｂを有する。トップシート２４のウエスト端部分２４Ａ（すなわち、端伸長部分２４Ａ）は、引張り装着型おむつ２０のウエストバンドパネル６および７の部分内に伸びている。内側バリヤーフィルム６８は、トップシート２４より長手方向にわずかに短く、トップシート２４より側面方向にわずかに幅が広い。内側バリヤーフィルム６８は、股領域３０の少なくとも一部分において第一部分９４ならびに前方領域および後方領域２６および２８の少なくとも一部分において第２部分９６を形成できるように不均一な側方幅を有する。内側バリヤーフィルム６８の側方幅は、第２部分９６が第一部分９４の側方幅寸法より少ない側方幅寸法を有するようにウエスト端部分６８Ａに向かって徐々に減少する。内側バリヤーフィルム６８は、好ましくは耳パネル１０および１１の有効側方伸長長さを増加させ耳パネル１０および１１のかさ高さを低下させられるように耳パネル１０および１１内には伸びていない。内側バリヤーフィルム６８はさらにまた、ウエストバンドパネル６および７のかさ高さを低下させられるようにウエストバンドパネル６および７内には伸びていない。さらに、内側バリヤーフィルム６８は、耳パネル１０および１１内ならびにウエストバンドパネル６および７内の両方に伸びていないので、内側バリヤーフィルム６８はそれらの領域では通気性を阻害しない。トップシート２４、内側バリヤーフィルム６８、および吸収性コアは様々なよく知られている形状で組み立てることができるが、代表的シャシー形状は概して、１９７５年１月１４日にＫｅｎｎｅｔｈ  Ｂ．Ｂｕｅｌｌへ発行された「使い捨ておむつのための収縮性サイド部分（Ｃｏｎｔｒａｃｔｉｂｌｅ  Ｓｉｄｅ  Ｐｏｒｔｉｏｎｓ  ｆｏｒ  Ｄｉｓｐｏｓａｂｌｅ  Ｄｉａｐｅｒ）」と題する米国特許第３，８６０，００３号；および、１９９２年９月２９日にＫｅｎｎｅｔｈ  Ｂ．Ｂｕｅｌｌへ発行された「前配置された弾力性屈曲性ヒンジを有する動的弾性ウエスト装備を備えた吸収性製品（Ａｂｓｏｒｂｅｎｔ  Ａｒｔｉｃｌｅ  Ｗｉｔｈ  Ｄｙｎａｍｉｃ  Ｅｌａｓｔｉｃ  Ｗａｉｓｔ  Ｆｅａｔｕｒｅ  Ｈａｖｉｎｇ  Ａ  Ｐｒｅｄｉｓｐｏｓｅｄ  Ｒｅｓｉｌｉｅｎｔ  Ｆｌｅｘｕｒａｌ  Ｈｉｎｇｅ）」と題する米国特許第５，１５１，０９２号の中で説明されている。
【００１４】
好ましくは、不織布外側カバー２３は引張り装着型おむつ２０の最も外側部分の領域ほぼ全てを被覆している。不織布外側カバー２３は概して引張り装着型おむつ２０と同一形状を有していてよい。不織布外側カバー２３は、ウエスト端部分２３Ａおよびサイド部分２３Ｂを有する。不織布外側カバー２３はさらにまた、前方領域２６におけるサイド伸長部分２３Ｃおよび後方領域２８におけるサイド伸長部分２３Ｄを有する。不織布外側カバー２３のウエスト端部分２３Ａ（すなわち、端伸長部分２３Ａ）は、ウエストバンドパネル６および７内に伸びており、さらに不織布外側カバー２３のサイド伸長部分２３Ｃおよび２３Ｄは耳パネル１０および１１内に伸びている。あるいはまた、バックシート２２の不織布外側カバー２３は概して、不織布外側カバー２３が内側バリヤーフィルム６８の領域だけを被覆しているように内側バリヤーフィルム６８と同一形状を有していてもよい。あるいはまた、不織布外側カバー２３は排除されてもよく、さらに内側バリヤーフィルム６８が概して引張り装着型おむつ２０と同一形状を有して耳パネル１０および１１内ならびにウエストバンドパネル６および７内の両方へ伸びていてもよい。
【００１５】
吸収性コア２５は、概して圧縮性かつ整合性で、装着者の皮膚に非刺激性であり、さらに尿のような液体およびその他の一定排泄物を吸収かつ保持することのできるあらゆる吸収性部材であってよい。吸収性コア２５は広範囲のサイズおよび形状（例、長方形、砂時計形、「Ｔ」字形、非対称性等）で、ならびに使い捨ておむつで一般に使用される極めて様々な液体吸収性材料および概してエアフェルトと呼ばれる微粉砕木材パルプのような他の吸収性製品から製造することができる。その他の適切な吸収性材料の例には、クレープセルロースワッディング；コフォームを含むメルトブロウンポリマー；化学的剛性、変性、もしくは架橋セルロース繊維；ティッシューラップおよびティッシューラミネートを含むティッシュー；吸収性フォーム；吸収性スポンジ；超吸収性ポリマー；吸収性ゲル化材料；またはいずれかの同等の材料もしくは材料の組み合わせが含まれる。
【００１６】
吸収性コア２５の形状および構成は様々に異なる場合がある（例えば、吸収性コア２５は厚みが変化する区域、親水性勾配、超吸収性勾配、または低平均密度および低平均坪量収集区域を有する場合がある；または１以上の層もしくは構造を備える場合がある）。さらに、吸収性コア２５のサイズおよび吸収能力もまた乳幼児から成人に及ぶ装着者に適応するために異なる場合がある。しかし、吸収性コア２５の総吸収能力はおむつ２０の設計荷重および用途と適合しなければならない。
【００１７】
好ましい実施形態における吸収性コア２５は、前方および後方ウエスト領域２６および２８において耳を有する非対称性の変形砂時計形を有する。幅広く容認されて商業的成功を達成した吸収性コア２５として使用するための他の代表的吸収性構造は、１９８６年９月９日にＷｅｉｓｍａｎらへ発行された「高密度吸収性構造（Ｈｉｇｈ−Ｄｅｎｓｉｔｙ  Ａｂｓｏｒｂｅｎｔ  Ｓｔｒｕｃｔｕｒｅｓ）」と題する米国特許第４，６１０，６７８号；１９８７年６月１６日にＷｅｉｓｍａｎらへ発行された「２重層状コアを備えた吸収性製品（Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ）」と題する米国特許第４，６７３，４０２号；１９８９年１２月１９日にＡｎｇｓｔａｄｔへ発行された「ダスティング層を有する吸収性コア（Ａｂｓｏｒｂｅｎｔ  Ｃｏｒｅ    Ｈａｖｉｎｇ  Ａ  Ｄｕｓｔｉｎｇ  Ｌａｙｅｒ）」と題する米国特許第４，８８８，２３１号；および１９８９年５月３０日にＡｌｅｍａｎｙらへ発行された「低密度および低坪量収集区域を有する高密度吸収性部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」と題する米国特許第４，８３４，７３５号に記載されている。
【００１８】
図５に示されているようなシャシー４１は、さらに吸収性コア２５の上方に配置された化学的剛性繊維の収集／分布コア８４を含むことができ、それによって二重コアシステムを形成している。好ましい２重コアシステムは、１９９３年８月１０日にＡｌｅｍａｎｙらへ発行された「弾性ウエスト装備および強化吸収性を備えた吸収性製品（Ａｂｓｏｒｂｅｎｔ  Ａｒｔｉｃｌｅ  Ｗｉｔｈ  Ｅｌａｓｔｉｃ  Ｗａｉｓｔ  Ｆｅａｔｕｒｅ  ａｎｄ  Ｅｎｈａｎｃｅｄ  Ａｂｓｏｒｂｅｎｃｙ）」と題する米国特許第５，２３４，４２３号；および１９９２年９月１５日にＹｏｕｎｇ，ＬａＶｏｎ  ａｎｄ  Ｔａｙｌｏｒへ発行された「尿失禁管理のための高効率吸収性製品（Ｈｉｇｈ  Ｅｆｆｉｃｉｅｎｃｙ  Ａｂｓｏｒｂｅｎｔ  Ａｒｔｉｃｌｅｓ  Ｆｏｒ  Ｉｎｃｏｎｔｉｎｅｎｃｅ  Ｍａｎａｇｅｍｅｎｔ）」と題する米国特許第５，１４７，３４５号に記載されている。ある好ましい実施形態では、収集／分布コア８４は商標ＣＭＣを付けてＷｅｙｅｒｈａｅｕｓｅｒ  Ｃｏ．（米国）から入手可能な化学的に処理された硬化セルロース繊維材料を備える。
【００１９】
より好ましくは、シャシー４１はさらにまた、図５に示されているようにトップシート２４と収集／分布コア８４との間に収集／分布層８２を備えることができる。収集／分布層８２は、トップシート２４の表面湿潤性の傾向を低下させるのに役立つように用意されている。収集／分布層８２は、好ましくは、６ｄｔｅｘのポリエチレンテレフタレート繊維から作られ、約４３ｇ／ｍ２の坪量を有するＰｏｌｙｍｅｒ  Ｇｒｏｕｐ，Ｉｎｃ，Ｎｏｒｔｈ  Ａｍｅｒｉｃａ（ランディスビル、ニュージャージー州）からコード番号ＦＴ−６８６０として入手できるようなカードレジンボンドハイロフト不織布材料を備える。
【００２０】
トップシート２４は、好ましくはコンプライアントで、感触が柔らかく、さらに装着者の皮膚に非刺激性である。さらに、トップシートは液体（例、尿）がその厚みを通して容易に浸透することを許容する液体浸透性である。適切なトップシート２４は、織布および不織布材料；開口成形熱可塑性フィルム、開口プラスチックフィルムおよびハイドロフォーム熱可塑性フィルムのようなポリマー材料；ポーラスフォーム；網状フォーム；網状熱可塑性フィルム；および熱可塑性スクリムのような広範囲の材料から製造することができる。適切な織布および不織布材料は天然繊維（例、木材もしくは綿繊維）、合成繊維（例、ポリエステル、ポリプロピレン、もしくはポリエチレン繊維のようなポリマー繊維）または天然繊維と合成繊維の組み合わせから構成することができる。トップシート２４は、好ましくは装着者の皮膚をトップシート２４を通過して吸収性コア２５に含まれている液体から分離するために（すなわち、再湿潤を防止するために）疎水性材料から作られている。トップシート２４が疎水性材料から作られている場合は、液体がトップシートを通ってより迅速に移動するように、少なくともトップシート２４の上面は親水性であるように処理されていることが好ましい。これは、排泄物がトップシート２４に引き上げられて吸収性コア２５に吸収されずにトップシート２４から流れ出る可能性を減少させる。トップシート２４は、界面活性剤を用いて処理することによって親水性にすることができる。トップシート２４を界面活性剤を用いて処理するための適切な方法には、トップシート２４材料に界面活性剤をスプレーするステップおよびその材料を界面活性剤中に浸漬させるステップが含まれる。そうした処理および親水性についてのより詳細な考察は、１９９１年１月２９日にＲｅｉｓｉｎｇ，らへ発行された「多層吸収性層を備えた吸収性製品（Ａｂｓｏｒｂｅｎｔ  Ａｒｔｉｃｌｅｓ  ｗｉｔｈ  Ｍｕｌｔｉｐｌｅ  Ｌａｙｅｒ  Ａｂｓｏｒｂｅｎｔ  Ｌａｙｅｓ）」と題する米国特許第４，９８８，３４４号および１９９１年１月２９日にＲｅｉｓｉｎｇへ発行された「急速収集吸収性コアを備えた吸収性製品（Ａｂｓｏｒｂｅｎｔ  Ａｒｔｉｃｌｅｓ  ｗｉｔｈ  Ｒａｐｉｄ  Ａｃｑｕｉｒｉｎｇ  Ａｂｓｏｒｂｅｎｔ  Ｃｏｒｅｓ）」と題する米国特許第４，９８８，３４５号に含まれている。トップシート２４は、好ましくは引張り装着型おむつ２０のウエストバンドパネル６および７ならびにその他の部分に沿った換気設計／プロセスと適合する可能性がある。
【００２１】
好ましい実施形態では、トップシート２４は表面湿潤性についての低い傾向を提供でき；さらにその結果として湿潤後に吸収性コア２５によって吸収された尿を装着者の皮膚から離して維持することを促進することのできる不織布ウェブである。好ましいトップシート材料の１つは、Ｆｉｂｅｒｗｅｂ  Ｎｏｒｔｈ  Ａｍｅｒｉｃａ，Ｉｎｃ．（シンプソンビル、サウスカロライナ州、米国）からコード番号Ｐ−８として入手できる熱接着カードウェブである。別の好ましいトップシート材料はＨａｖｉｘ  Ｃｏ．，Ｊａｐａｎからコード番号Ｓ−２３５５として入手可能である。この材料は２層複合材料であり、カーディングおよびエア・スルー技術を使用することによって２種類の合成的に界面活性剤処理された二成分繊維から作られている。さらにまた別の好ましいトップシート材料は、Ａｍｏｃｏ  Ｆａｂｒｉｃｓ，Ｉｎｃ．（グロナウ、ドイツ）からコード番号Ｐｒｏｆｌｅｅｃｅ  Ｓｔｙｌｅ  ０４００１８００７として入手可能な熱接着カードウェブである。
【００２２】
別の好ましいトップシート２４は開口成形フィルムを備える。開口成形フィルムはトップシート２４のために好ましいが、それはそれらが排泄物透過性であるが非吸収性であり、さらに液体が逆戻りして装着者の皮膚を再浸潤させる傾向が低いためである。従って、身体と接触する成形フィルムの表面は乾燥したままとなり、それによって身体を汚すことを減少させ、装着者にとってより心地よい感触を作り出す。適切な成形フィルムは、１９７５年１２月３０日にＴｈｏｍｓｏｎへ発行された「先細毛管を有する吸収性製品（Ａｂｓｏｒｂｅｎｔ  Ａｒｔｉｃｌｅ  Ｈａｖｉｎｇ  Ｔａｐｅｒｅｄ  Ｃａｐｉｌｌａｒｉｅｓ）」と題する米国特許第３，９２９，１３５号；１９８２年４月１３日にＭｕｌｌａｎｅらへ発行された「汚れ抵抗性トップシートを有する使い捨て吸収性製品（Ｄｉｓｐｏｓａｂｌｅ  Ａｂｓｏｒｂｅｎｔ  Ａｒｔｉｃｌｅ  Ｈａｖｉｎｇ  Ａ  Ｓｔａｉｎ  Ｒｅｓｉｓｔａｎｔ  Ｔｏｐｓｈｅｅｔ）」と題する米国特許第４，３２４，２４６号；１９８２年８月３日にＲａｄｅｌらへ発行された「繊維様特性を示す弾力性プラスチックウェブ（Ｒｅｓｉｌｉｅｎｔ  Ｐｌａｓｔｉｃ  Ｗｅｂ  Ｅｘｈｉｂｉｔｉｎｇ  Ｆｉｂｅｒ−Ｌｉｋｅ  Ｐｒｏｐｅｒｔｉｅｓ）」と題する米国特許第４，３４２，３１４号；１９８４年７月３１日にＡｈｒらへ発行された「非光沢可視表面および布様触感を示す肉眼的に拡張させた三次元プラスチックウェブ（Ｍａｃｒｏｓｃｏｐｉｃａｌｌｙ  Ｅｘｐａｎｄｅｄ  Ｔｈｒｅｅ−Ｄｉｍｅｎｓｉｏｎａｌ  Ｐｌａｓｔｉｃ  Ｗｅｂ  Ｅｘｈｉｂｉｔｉｎｇ  Ｎｏｎ−Ｇｌｏｓｓｙ  Ｖｉｓｉｂｌｅ    Ｓｕｒｆａｃｅ  ａｎｄ  Ｃｌｏｔｈ−Ｌｉｋｅ  Ｔａｃｔｉｌｉ  Ｉｍｐｒｅｓｓｉｏｎ）」と題する米国特許第４，４６３，０４５号；および１９９１年４月９日にＢａｉｒｄへ発行された「多層ポリマーフィルム（Ｍｕｌｔｉｌａｙｅｒ  Ｐｏｌｙｍｅｒｉｃ  Ｆｉｌｍ）」と題する米国特許第５，００６，３９４号に記載されている。
【００２３】
バックシート２２は、好ましくは内側バリヤーフィルム６８および不織布外側カバー２３を備える。内側バリヤーフィルム６８は、好ましくは液体（例、尿）不浸透性であり、好ましくは薄いプラスチックフィルムから製造される。内側バリヤーフィルム６８は身体に面する表面７９および外部に面する表面７７を有する。より好ましくは、プラスチックフィルムは蒸気がおむつ２０から放出されることを許容する。ある好ましい実施形態では、マイクロポーラスポリエチレンフィルムが内側バリヤーフィルム６８のために使用される。適切なマイクロポーラスポリエチレンフィルムは、日本の名古屋に所在のＭｉｔｓｕｉ  Ｔｏａｔｓｕ  Ｃｈｅｍｉｃａｌｓ，Ｉｎｃ．によって製造され、Ｅｓｐｏｉｒ  Ｎｏ．として市販されている。バックシート２２は、好ましくは換気およびサイド継ぎ目デザイン／プロセスと適合する。バックシートの外面には、さらに使い捨てテープが接合されてもよい。
【００２４】
内側バリヤーフィルム６８のために適切なプラスチックフィルム材料は、約０．０１２ｍｍ（０．５ミル）〜約０．０５１ｍｍ（２．０ミル）の厚さを有し、好ましくはポリエチレンもしくはポリプロピレンを備える熱可塑性フィルムである。好ましくは、プラスチックフィルムは約５ｇ／ｍ２〜約３５ｇ／ｍ２の坪量を有する。しかし、他の柔軟性液体不浸透性材料も使用できることを述べておかなければならない。ここで「柔軟性」とは、コンプライアントであって装着者の身体の一般形状および輪郭に容易に適合する材料に関する。プラスチックフィルムは、下記で述べられる方法によって測定される３，０００と４，０００ｇ／ｍ２／２４時間の間の水蒸気透過速度を有する可能性がある。
【００２５】
不織布外側カバー２３は、ラミネート（すなわち、バックシート２２）を形成するために内側バリヤーフィルム６８の外部に面する表面と接合される。不織布外側カバー２３は、引張り装着型おむつ２０の最外側部分に配置されており、おむつ２０の最外側部分の少なくとも一部分を被覆する。不織布外側カバー２３は、技術において知られているいずれかの適切な取り付け手段によって内側バリヤーフィルム６８に接合することができる。例えば、不織布外側カバー２３は接着剤の均一連続層、接着剤のパターン付き層、または接着剤の個別の線もしくは斑点の配列によって内側バリヤーフィルム６８に固定することができる。適切な接着剤には、日本の大阪に所在のＮｉｔｔａ  Ｆｉｎｄｌｅｙ  Ｃｏ．，Ｌｔｄ．からＨ−２１２８として入手可能なホットメルト接着剤、および日本の大阪に所在のＨ．Ｂ．Ｆｕｌｌｅｒ  Ｊａｐａｎ  Ｃｏ．，Ｌｔｄ．からＪＭ−６０６４として入手可能なホットメルト接着剤が含まれる。
【００２６】
ある好ましい実施形態では、不織布外側カバー２３は日本の岐阜に所在のＨａｖｉｘ  Ｃｏ．，Ｌｔｄ．からＥ−２３４１として入手可能なカード不織布ウェブである。不織布外側カバー２３はポリエチレン（ＰＥ）およびポリエチレンテレフタレート（ＰＥＴ）の二成分繊維から作られている。ＰＥ／ＰＥＴ比は約４０／６０である。ＰＥ／ＰＥＴ二成分繊維は２デシテックス×５１ｍｍの寸法を有する。別の好ましいカード不織布ウェブは日本の大阪に所在のＣｈｉｓｓｏ  Ｃｏｒｐ．から入手可能である。不織布外側カバー２３はまた、ポリエチレン（ＰＥ）およびポリエチレンテレフタレート（ＰＥＴ）の二成分繊維から作られている。ＰＥ／ＰＥＴ比は約３０／７０である。
【００２７】
別の好ましい実施形態では、不織布ウェブは、例えば日本の東京に所在のＭｉｔｓｕｉ  Ｐｅｔｒｏｃｈｅｍｉｃａｌ  Ｉｎｄｕｓｔｉｒｉｅｓ，Ｌｔｄ．から入手可能なスパンボンド不織布ウェブである。不織布ウェブはポリエチレン（ＰＥ）シースおよびポリプロピレン（ＰＰ）コアから構成される二成分繊維から作られている。ＰＥ／ＰＰ比は約８０／２０である。ＰＥ／ＰＰ二成分繊維はおよそ２．３デシテックスの厚さを有する。
【００２８】
バックシート２２は、好ましくは吸収性コア２５の外部に面する表面に隣接して配置され、好ましくは技術において知られているいずれかの適切な取り付け手段によってそれに接合されている。例えば、バックシート２２は接着剤の均一連続層、接着剤のパターン付き層、または接着剤の個別の線もしくは斑点の配列によって吸収性コア２５に固定することができる。良好に機能することが発見されている接着剤は、ミネソタ州セントポールに所在のＨ．Ｂ．Ｆｕｌｌｅｒ  Ｃｏｍｐａｎｙによって製造されてＨＬ−１２５８として市販されている。接着剤フィラメントのオープンパターンネットワークを備える適切な取り付け手段の例は、１９８６年３月４日にＭｉｎｅｔｏｌａらへ発行された「使い捨て汚れ封じ込め衣料品（Ｄｉｓｏｐｏｓａｂｌｅ  Ｗａｓｔｅ−Ｃｏｎｔａｉｎｍｅｎｔ  Ｇａｒｍｅｎｔ）」と題する米国特許第４，５７３，９８６号に開示されている。渦巻き状にらせんパターンにされた数本の接着剤フィラメント線を備える別の適切な取り付け手段は、１９７５年１０月７日にＳｐｒａｇｕｅへ発行された米国特許第３、９１１，１７３号；１９７８年１１月２２日にＺｉｅｃｋｅｒ，らへ発行された米国特許第４，７８５，９９６号；および１９８９年６月２７日にＷｅｒｅｎｉｃｚへ発行された米国特許第４，８４２，６６６号に示されている装置および方法によって例示されている。あるいはまた、取り付け手段は熱接着、圧力接着、超音波接着、動的機械的接着、またはあらゆるその他の適切な取り付け手段または技術において知られているこれらの取り付け手段の組み合わせを備えることができる。
【００２９】
また別の実施形態では、吸収性コア２５は、前方領域２６および後方領域２８におけるより大きな伸張性を提供するためにバックシート２２、および／またはトップシート２４に接合されていない。
【００３０】
弾性化レッグカフ５２は液体およびその他の排泄物の改良封じ込めを提供する。弾性化レッグカフ４２はレッグ領域での排泄物の漏れを減少させるために数種の相違する実施形態を備えることができる。（レッグカフはレッグバンド、サイドフラップ、バリヤーカフまたは弾性カフとも呼ぶことができ、時々はそのように呼ばれている。）米国特許第３，８６０，００３号は、弾性化レッグカフ（ガスケッチングカフ）を提供するためにサイドフラップと１以上の弾性部材とを有する収縮性レッグ開口部を提供する使い捨ておむつを記載している。１９９０年３月２０日にＡｚｉｚらへ発行された「弾性化フラップを有する使い捨て吸収性製品（Ｄｉｓｐｏｓａｂｌｅ  Ａｂｓｏｒｂｅｎｔ  Ａｒｔｉｃｌｅ  Ｈａｖｉｎｇ  Ｅｌａｓｔｉｃｉｚｅｄ  Ｆｌａｐｓ）」と題する米国特許第４，９０９，８０３号は、脚の付け根領域の封じ込めを改良するために「直立型」弾性化フラップ（バリヤーカフ）を有する使い捨ておむつを記載している。１９８７年９月２２日にＬａｗｓｏｎへ発行された「二重カフを有する吸収性製品（Ａｂｓｏｒｂｅｎｔ  Ａｒｔｉｃｌｅ  Ｈａｖｉｎｇ  Ｄｕａｌ  Ｃｕｆｆｓ）」と題する米国特許第４，６９５，２７８号；および１９８９年１月３日にＤｒａｇｏｏへ発行された「漏れ抵抗性二重カフを有する吸収性製品（Ａｂｓｏｒｂｅｎｔ  Ａｒｔｉｃｌｅ  Ｈａｖｉｎｇ  Ｌｅａｋａｇｅ−Ｒｅｓｉｔａｎｔ  Ｄｕａｌ  Ｃｕｆｆｓ）」と題する米国特許第４，７９５，４５４号は、ガスケッチングカフおよびバリヤーカフを含む二重カフを有する使い捨ておむつを記載している。１９８７年１１月３日にＢｕｅｌｌへ発行された「使い捨てウエスト封じ込め衣料品（Ｄｉｓｐｏｓａｂｌｅ  Ｗａｉｓｔ  Ｃｏｎｔａｉｎｍｅｎｔ  Ｇａｒｍｅｎｔ）」と題する米国特許第４，７０４，１１５号は、衣料品内に自由液体を含有するために構成されたサイド縁漏れガードガターを有する使い捨ておむつを開示している。
【００３１】
各弾性化レッグカフ５２は、上記のレッグバンド、サイドフラップ、バリヤーカフ、または弾性カフのいずれかに類似するように構成することができるが、各弾性化レッグカフ４２は上記に参照した米国特許第４，９０９，８０３号において記載されているように各々がバリヤーフラップ５６およびスペーシング手段５８（図５に示されている）を備える内側バリヤーカフ５４を備えていることが好ましい。内側バリヤーカフ５４は、高度に不透過性であるが、好ましくは通気性であるインサート要素を有することができる。ある好ましい実施形態では、弾性化レッグカフ５２は追加して、上記に参照した米国特許第４，６９５，３７８号および米国特許第４，７９５，４５４号において記載されているようなバリヤーカフ５４の外側寄りに配置された１以上の弾性ストランド６４を備えた弾性ガスケッチングカフ６２を備える。弾性ストランド６４は、概してレッグフラップパネル４に配置されて前もって引っ張られた状態下でホットメルト接着剤のようないずれかの手段によってそこに接合されている。弾性ストランド６４は、接合される前に３０％〜２００％まで、好ましくは５０％と１５０％の間まで前もって引っ張られてよい。ある好ましい弾性ストランド６４は、名称９３１２を付けてＦｕｌｆｌｅｘ  Ｉｎｔｅｒｎａｔｉｏｎａｌ  Ｃｏｍｐａｎｙによって製造されている。
【００３２】
引張り装着型おむつ２０は、前方伸張性耳４６および後方伸張性耳４８を有する。図５を参照すると、伸張性耳４６および４８は、好ましくはサイドエラストマー材料１２４（図８に示されている）、不織布外側カバー２３のサイド伸長部分２３Ｃ、および内側バリヤーカフ５４の伸長部分７２を有するサイド弾性部材７０を備える（図５は前方領域２６における構造しか描出していないが、好ましくは後方領域２８における構造は前方領域２６における構造と同一もしくは類似である）。好ましくは前方および後方伸張性耳４６および４８の少なくとも１つは、少なくとも側面方向で弾性的に伸張性である。より好ましくは、前方および後方伸張性耳４６および４８の両方が少なくとも側面方向に弾性的に伸張性である。また別の実施形態では、前方および後方伸張性耳４６および４８は側面方向および長手方向の両方で弾性的に伸張性である。ここで「伸張性」は過度の破損を生じさせることなく一定の程度まで少なくとも１つの方向に伸張することのできる材料に関する。ここで「弾性」および「弾性的に伸張性」は、その材料を伸張させた力が取り除かれた後にほぼそれらの最初の寸法に戻る能力を有する伸張性材料に関する。伸張性耳４６および／または４８は最初に心地よくおむつを装着者にフィットさせ、おむつに排泄物が負荷された時点をはるかに過ぎた着用時間を通してこのフィットを維持することによってより心地よく輪郭に沿ったフィットを提供するが、それは伸張性耳４６および／または４８がおむつの両サイドが伸張かつ収縮することを許容するためである。
【００３３】
伸張性耳４６および４８は、好ましくは通気性を有する。引張り装着型おむつの残りの部分の総蒸気透過速度と結合した耳パネルの水蒸気透過速度は、高温多湿条件と結び付いたあせもやその他の皮膚締め付け跡の発生を低下させることにおいて重要である。引張り装着型おむつ内の高温および多湿を低下させるためには、伸張性耳４６および４８は好ましくは少なくとも約２，０００ｇ／ｍ２／２４時間、より好ましくは少なくとも約４，０００ｇ／ｍ２／２４時間の加重平均質量蒸気透過速度を有する。好ましくは引張り装着型おむつ全体は少なくとも約２，０００ｇ／ｍ２／２４時間〜約８，０００ｇ／ｍ２／２４時間の加重平均質量蒸気透過速度を有する。
【００３４】
水蒸気透過速度は、下記に記載される方法によって測定される。既知量のＣａＣｌ２をフランジ付きカップに入れる。サンプルをカップの一番上に置き、リテーニングリングおよびガスケットによってしっかりと保持する。この組立体の重量をその後計量し、初期重量として記録する。この組立体を５時間に渡って一定の温度（４０℃）および湿度（７５％ＲＨ）のチャンバー内に置く。その後、組立体をチャンバーから取り出し、はかりが置かれている部屋の室温で少なくとも３０分間平衡させる。その後に組立体の重量を計量し、最終重量として記録する。質量蒸気透過速度（ＭＶＴＲ）を計算し、下記の式を用いてｇ／ｍ２／２４時間で表す。
ＭＶＴＲ＝（最終重量−初期重量）×２４．０／サンプルの面積（ｍ２）×５．０（チャンバー内の時間）
図６ならびに図３を参照すると、サイド弾性部材７０を備える伸張性耳４６は上方端縁４６Ａ、下方端縁４６Ｂ、内サイド縁４６Ｃ、および外サイド縁４６Ｄを有する。サイド弾性材料７０を備える後方伸張性耳４８は、上方端縁４８Ａ、下方端縁４８Ｂ、内サイド縁４８Ｃ、および外サイド縁４８Ｄを有する。前方領域２６における各要素、部分、パーツの形状は後方領域２８における形状と相違していてもよいが（例、前方伸張性耳４６の形状と後方伸張性耳４８の形状、または下方端縁４６Ｂの形状と下方端縁４８Ｂの形状）、前方領域２６および後方領域２８において相互に対応するそれらの要素、部分、パーツ等は説明を容易にするために同時に説明することができる。ある好ましい実施形態では、耳パネル１０および１１はサイド弾性材料７０によって伸張性耳４６および４８を形成するために耳パネル１０および１１の全領域において伸張性にされている。図３に示されている実施形態では、サイド弾性材料７０は前方伸張性耳４６および後方伸張性耳４８が継ぎ目３２で相互に固定され、さらに前方領域２６におけるサイド弾性材料７０および後方領域２８におけるサイド弾性材料７０が継ぎ目３２で固定されているように継ぎ目パネル１２および１３の部分内に伸びている（図５はさらにまた、継ぎ目パネル１２および１３内に伸びているサイド弾性部材７０を示しているが、継ぎ目パネル１２および１３は図５には示されていない）。あるいはまた、耳パネル１０および１１は耳パネル１０および１１の領域の一部分でのみ伸張性にされていてもよい。伸張性耳４６および４８は、サイド弾性部材７０を接合させて機械的ストレッチングを受けさせることによって伸張性にされた耳パネル１０および１１の部分である。ある好ましい実施形態では、内サイド縁４６Ｃおよび４８Ｃは、概して引張り装着型おむつ２０の長手方向中心線１００に沿って伸びている。外サイド縁４６Ｄおよび４８Ｄは、内サイド縁４６Ｃおよび４８Ｃに対して平行ではなく、長手方向中心線１００に対して平行ではない。外サイド縁４６Ｄおよび４８Ｄは、上方端縁４６Ａおよび４８Ｄの近くで側面方向で外向きに突き出ている。このため、外サイド縁４６Ｄおよび４８Ｄは上方端縁４６Ａおよび４８Ｄの近くでは内サイド縁４６Ｃおよび４８Ｃから離れている。伸張性耳４６および４８は、内サイド縁４６Ｃおよび４８Ｃと外サイド縁４６Ｄおよび４８Ｄとの間の側方幅Ｌ１、ならびに上方端縁４６Ａおよび４８Ｄの近くの内サイド縁４６Ｃおよび４８Ｃと外サイド縁４６Ｄおよび４８Ｄとの間の側方幅Ｌ２を有する。内サイド縁と外サイド縁の間の側方幅は長手方向中心線１００に垂直な側面方向における内サイド縁４６Ｃおよび４８Ｃと外サイド縁４６Ｄおよび４８Ｄとの間の幅である。このため、内サイド縁と外サイド縁の間の側方幅は内サイド縁４６Ｃおよび４８Ｃと外サイド縁４６Ｄおよび４８Ｄが長手方向に一緒に伸びている範囲Ｒにおいて入手できる。側方幅Ｌ２は側方幅Ｌ１より大きいので、このため伸張性耳４６および４８の側面方向において利用できるエラストマー材料量は下方端縁４６Ｂおよび４８Ｂの近くより上方端縁４６Ａおよび４８Ａの近くの方が大きい。外サイド縁４６Ｄおよび４８Ｄは上方端縁４６Ａおよび４８Ａの近くで側面方向で外向きに突き出しているので、上方端縁４６Ａおよび４８Ａの近くで利用できるエラストマー材料量が強化される。さらに、利用できる材料量は上方端縁４６Ａおよび４８Ａから下方端縁４６Ｂおよび４８Ｂに向かう方向で変化するが、それは伸張性耳４６および４８の側方幅がその方向で次第に変化するためである。これは装着者へのフィットを許容するために伸張性耳に渡っての力の変化もしくは力勾配を生じさせる。内サイド縁４６Ｃおよび４８Ｃはさらにまた、側方幅Ｌ２が側方幅Ｌ１よりはるかに大きくなるように、長手方向中心線１００に対して平行ではなく、上方端縁４６Ａおよび４８Ａの近くで側面方向で内向きに突き出していてよい。あるいはまた、内サイド縁４６Ｃおよび４８Ｃは、側方幅Ｌ２が側方幅Ｌ１よりそれでもまだ大きいように、長手方向中心線１００に対して平行ではなく上方端縁４６Ａおよび４８Ａの近くでわずかに側面方向で外向きに突き出していてよい。
【００３５】
伸張性耳４６および４８は、引張り装着型おむつ２０の単一要素によって形成されていてよい（すなわち、それらは引張り装着型おむつ２０に固定された個別に操作可能な要素ではなく、むしろ引張り装着型おむつの１つ以上の種々の層から形成された種々の層の伸長部分である。）ある好ましい実施形態では、伸張性耳４６および４８はシャシー４１の突き出し部材である。好ましくは、伸張性耳４６および４８は、シャシー４１の一部を形成し、伸張性耳４６および４８に連続的に伸びている少なくとも１つの単一要素または連続シート材料を備える。伸張性耳４６および４８は、個別部材をシャシー４１のサイド部分に接合させることによって形成することができる。
【００３６】
サイド弾性部材７０は、伸張性耳４６および４８の領域において内側バリヤーカフ５４の伸長部分７２と不織布外側カバー２３のサイド伸長部分２３Ｃおよび２３Ｄの間に挿入されている。サイド弾性部材７０は、内側バリヤーカフ５４の伸長部分７２と不織布外側カバー２３のサイド伸長部分２３Ｃおよび２３Ｄの少なくとも１つに操作可能に接合されている。好ましくは、サイド弾性部材７０は、実質的に張力がかけられていない（ゼロ歪み）状態にある間に内側バリヤーカフ５４の伸長部分７２と不織布外側カバー２３のサイド伸長部分２３Ｃおよび２３Ｄの両方に操作可能に接合されている。
【００３７】
サイド弾性部材７０は、間欠的接着形状または実質的連続的接着形状のどちらかを使用することによって、内側バリヤーカフおよび不織布外側カバー２３に操作可能に接合することができる。ここで「間欠的」接着ラミネートウェブは、プライが最初は個々の間隔をあけたポイントでは相互に接着されているラミネートウェブまたはパイルが個々の間隔をあけた領域では相互に実質的に接着されていないラミネートウェブを意味する。これとは逆に、「実質的連続」接着ラミネートウェブは、パイルが最初に界面の領域全体で相互に実質的連続的に接着されているラミネートウェブを意味する。ストレッチラミネートは、非弾性ウェブ（すなわち、内側バリヤーカフおよび不織布外側カバー２３の不織布ウェブ）が破損を惹起することなく伸びるもしくは引き出すように、およびストレッチラミネート層が好ましくは増分的機械的ストレッチング作業後に相互に相対的に密接に付着しているストレッチラミネートの層全体を維持する形状で接着されるようにストレッチラミネートの全部分または有意な部分に渡って接着されることが好ましいので、サイド弾性部材およびストレッチラミネートの他のパイルは接着剤を用いて実質的連続的に一緒に接合される。特に好ましい実施形態では、選択された接着剤が約０．１１５ｇ／ｍ２の坪量でらせんパターン（米国特許第３、９１１，１７３号（Ｓｐｒａｇｕｅ，Ｊｒ．）および米国特許第３，８４２，６６６号（Ｗｅｒｅｎｉｃｚ）で示されているように）で適用される。らせんは約１．９ｃｍ（０．７５ｉｎ）の幅を有し、どちらかが相互のすぐ隣に配置されるか、もしくはわずかに重ね合わされる（２ｍｍ未満）。接着剤は、好ましくは名称Ｈ２１２０を付けてＦｉｎｄｌｅｙ  Ａｄｈｅｓｉｖｅ社から入手可能であるような接着剤である。あるいはまた、サイド弾性部材およびストレッチラミネートの他のいずれかの構成要素は熱接着法、圧力接着法、超音波接着法、動的機械的接着法または技術において知られているような他のいずれかの方法を用いて相互に間欠的または連続的に接着させられてもよい。
【００３８】
サイド弾性部材７０が内側バリヤーカフ５４の伸長部分７２と不織布外側カバー２３のサイド伸長部分２３Ｃおよび２３Ｄとに操作可能に接合された後、結果として生じた複合ストレッチラミネートの少なくとも一部分はその後、例えば内側バリヤーカフ５４の伸長部分７２と不織布外側カバー２３のサイド伸長部分２３Ｃおよび２３Ｄである非弾性構成要素を永久的に伸長させるために十分な機械的ストレッチングを受けさせられる。複合ストレッチラミネートはその後、実質的に張力がかけられていない状態へ復元させられる。こうして伸張性耳４６および４８は「ゼロ歪み」 ストレッチラミネートへ形成される。（あるいはまた、サイド弾性部材７０は張力がかけられた状態で操作可能に接合され、その後機械的ストレッチングを受けさせることもできよう。）ここで「ゼロ歪み」 ストレッチラミネートは、実質的に張力がかけられていない（「ゼロ歪み」）状態にある間にそれらの同延性表面の少なくとも一部分に沿って相互に固定されている少なくとも２プライの材料から構成されるラミネートを意味する；プライの一方は伸張性かつ弾力性（すなわち、適用された張力が解除された後に張力がかけられていない寸法に実質的に戻るであろう）の材料を備え、第２プライはストレッチングを受けると第２プライは、少なくともある程度、適用された張力が解除された後に最初の変形していない形状に完全には戻らないであろうように永久的に伸長させられる実質的に伸長性（しかし必ずしも弾力性ではない）である材料を備える。結果として生じるストレッチラミネートは、それによって少なくとも最初のストレッチングの時点までは最初の機械的ストレッチングの方向に弾力的に伸張性にさせられる。ストレッチラミネートを製造するために使用される特に好ましい方法および装置は、構成要素を機械的に引き伸ばすための噛み合い波状ロールもしくはプレートを利用する。特に好ましい装置および方法は、１９９２年１２月１日にＷｅｂｅｒらへ発行された米国特許第５，１６７，８９７号；１９９０年１０月２０日にＢｕｅｌｌらへ発行された米国特許第５，１５６，７９３号；１９９２年９月１日にＷｅｂｅｒらへ発行された米国特許第５，１４３，６７９号および１９９８年５月７日に出願された「移動しているウェブを活性化させるための方法および装置（ＭＥＴＨＯＤ  ＡＮＤ  ＡＰＰＡＲＡＴＵＳ  ＦＯＲ  ＡＣＴＩＶＡＴＩＮＧ  Ａ  ＭＯＶＩＮＧ  ＷＥＢ）」と題する欧州特許出願第９８１０８２９０．２号（Ｃｈｒｉｓｔｏｐｈ  Ｊ．Ｓｃｈｍｉｔｚら）に開示されている。
【００３９】
サイド弾性部材７０は、好ましくは図５に示されているように接着剤７６を通して内側バリヤーフィルム６８のサイド部分６８Ｂへ接合される、より好ましくは直接固定される。ある好ましい実施形態では、サイド弾性部材７０は外部に面する表面７７で内側バリヤーフィルム６８のサイド部分６８Ｂへ接合される。また別の実施形態では、サイド弾性部材７０は身体に面する表面７９で内側バリヤーフィルム６８のサイド部分６８Ｂへ接合されてもよい。好ましくは、接着剤７６はビーズとして適用される。接着剤７６はらせんとして適用することができる。ある好ましい実施形態では、接着剤７６は無定形かつ結晶化構成要素を備えた柔軟性接着剤である。そうした好ましい接着剤は名称＃Ｈ９２２４を付けてＦｉｎｄｌｅｙ  Ａｄｈｅｓｉｖｅ  Ｃｏｍｐａｎｙによって供給される。あるいはまた、サイド弾性部材７０は、熱接着法、圧力接着法、超音波接着法、動的機械的接着法、またはこれらの取り付け手段の組み合わせを備える技術において知られている他のいずれかの接着手段によって内側バリヤーフィルム６８のサイド部分６８Ｂへ接合することができる。
【００４０】
図８を参照すると、伸張性耳４６および４８のために使用されるサイド弾性部材７０は、サイドエラストマー材料１２４を備える。サイド弾性部材７０は、さらにまた第１カバーストック層１２２および第２カバーストック層１２６の１つ、好ましくは両方を含むことができる。あるいはまた、サイド弾性部材７０は、いずれの追加の層も含まなくてもよい。
【００４１】
サイドエラストマー材料１２４は、第１表面１５０と第１表面１５０に対向する第２表面１５２、およびサイドエラストマー材料１２４の第１表面１５０に接合されている第１カバーストック層１２２を有する。ある好ましい実施形態では、第１カバーストック層１２２は例えば図９に示されているように接着剤１６０によってサイドエラストマー材料１２４の第１表面１５０に接合されている。より好ましくは、サイド弾性部材７０は、さらにまた接着剤１６４によってサイドエラストマー材料１２４の第２表面１５４に接合されている第２カバーストック層１２６を有する。サイドエラストマー材料１２４は、装着者の側方領域で最適な保持（もしくは持続性）力を発生させることによって良好なフィットネスを提供する。好ましくは、サイドエラストマー材料１２４は少なくとも１つの方向、好ましくは装着者の皮膚上に赤い締め付け跡を付けることなく引張り装着型おむつ２０が胴部上の位置から垂れ下がったり、たるんだり、または滑り落ちたりすることを防止するために最適な保持（もしくは持続性）力を発生させるために側面方向にベクトル成分を有する方向に伸張性である。
【００４２】
サイドエラストマー材料１２４は、広範囲のサイズ、形態および形状で形成されてよい。ある好ましい実施形態では、サイドエラストマー材料１２４は連続平面層の形状である。連続平面層の好ましい形状には、スクリム、穿孔（もしくは開口成形）フィルム、エラストマー織布もしくは不織布等が含まれる。また別の実施形態では、サイドエラストマー材料１２４は、連続平面層を形成するために相互に接続されていないストランド（もしくはストリング）の形状にある。連続平面層は、耳パネルにおいて適切に用意できるあらゆる形状をとってよい。連続平面層の好ましい形状には、長方形や正方形を含む四辺形、台形、およびその他の多角形が含まれる。
【００４３】
サイドエラストマー材料１２４のために特に適合することが発見されているエラストマー材料は、好ましくは約０．０５ｍｍ〜約１．０ｍｍ（０．００２インチ〜０．０３９インチ）の厚さを備えるスチレン系ブロックコポリマーをベースとするスクリム材料、穿孔（もしくは開口）弾性フィルム、ストランドである。サイドエラストマー材料１２４のためのその他の適切なエラストマー材料には、「生の」合成もしくは天然ゴム、その他の合成もしくは天然ゴムフォーム、エラストマーフィルム（熱収縮性エラストマーフィルムを含む）、エラストマー織布もしくは不織布ウェブ、エラストマーコンポジット等が含まれる。
【００４４】
Ｆｉｒｓｔ  Ｃｙｃｌｅ  Ｅｘｔｅｎｓｉｏｎ  Ｆｏｒｃｅ  ａｔ  １００％  Ｅｘｔｅｎｓｉｏｎ（ＦＣＥＦ  １００％）（伸張率１００％での第１サイクル伸張力）、Ｆｉｒｓｔ  Ｃｙｃｌｅ  Ｅｘｔｅｎｓｉｏｎ  Ｆｏｒｃｅ  ａｔ  ２００％  Ｅｘｔｅｎｓｉｏｎ（ＦＣＥＦ  ２００％）（伸張率２００％での第１サイクル伸張力）、Ｓｅｃｏｎｄ  Ｃｙｃｌｅ  Ｒｅｃｏｖｅｒｙ  Ｆｏｒｃｅ  ａｔ  ５０％  Ｅｘｔｅｎｓｉｏｎ（ＳＣＲＦ  ５０％）（伸張率５０％での第２サイクル復元力）および１０〜１２時間後の５０％での持続性荷重のようなサイドエラストマー材料１２４の伸張特性は使い捨て衣料品の性能における重要な検討材料である。ＦＣＥＦ  １００％およびＦＣＥＦ  ２００％は、使い捨て衣料品の適用／取外し中に総合的に知覚される「ストレッチネス（ｓｔｒｅｔｃｈｉｎｅｓｓ）」の尺度である。これら２種の特性は、同様に適切な適用時ストレッチ度を達成するためのアプリケーターの能力に影響を及ぼす。相当に高いＦＣＥＦ  １００％およびＦＣＥＦ  ２００％を備えたサイドエラストマー材料１２４は、装着者に使い捨て衣料品を適用するときに困難を惹起することがある。他方、相当に低いＦＣＥＦ  １００％およびＦＣＥＦ  ２００％を備えたサイドエラストマー材料１２４は、適切な水準の身体へのフィット／適合を達成しない可能性がある。ＳＣＲＦ  ５０％もまた、装着者への使い捨ておむつの身体へのフィット／適合に密接に関連する。相当に高いＳＣＲＦ  ５０％を備えたサイドエラストマー材料１２４は、装着者の皮膚上に赤い締め付け跡を付ける傾向があり、さらに使用中には装着者にとって心地よくない可能性がある。相当に低いＳＣＲＦ  ５０％を備えたサイドエラストマー材料１２４は、装着者の身体上の適切な位置におむつを維持するために十分な弾性力を提供しない、または身体への良好なフィットを提供しない可能性がある。５０％での持続性荷重は、経時的な力減少を評価する。さもないと実質的なたるみが生じるので、これは限定されなければならない。
【００４５】
ＦＣＥＦ  １００％、ＦＣＥＦ  ２００％およびＳＣＲＦ  ５０％は、引張試験機を使用することによって測定できる。引張試験機は、上方つかみと上方つかみの下方に配置されている下方つかみを備える。上方つかみは可動性であり、伸張力測定手段に接続されている。下方つかみはデスク（または床）に固定されている。約２．５４ｃｍ（１．０インチ）の幅および約１２．７５ｃｍ（５インチ）の長さを有する試験片（例、測定されるエラストマー材料）が調製され、有効試験片長（Ｌ）（例、標線距離）が約２．５４ｃｍ（１．０インチ）となるように上方つかみと下方つかみの間に留め付けられる。伸張力が上方つかみを通して試験片に適用される。試験片に伸張力が適用されないときは試験片は張力がかけられていない長さにある。ここで使用するために適合する引張試験機は、コード番号Ｉｎｓｔｒｏｎ  ５５６４としてＩｎｓｔｒｏｎ（１００  Ｒｏｙａｌ  Ｓｔｒｅｅｔ、カントン、ＭＡ０２０２１、米国）から入手可能である。
【００４６】
図１０は、サイドエラストマー材料１２４の２サイクルヒステレシスについての伸張力および復元力曲線の１つの好ましい例を示している。曲線Ｅ１は第１サイクルにおける伸張力を示しており、他方曲線Ｒ１は第１サイクルにおける復元力を示している。曲線Ｅ２（破線で示されている）は第２サイクルにおける伸張力を示しており、他方曲線Ｒ２は第２サイクルにおける復元力を示している。伸張特性および復元特性は下記のように測定される。
【００４７】
第１サイクルでは、試験片は約２３℃で２５．４ｃｍ／ｍｉｎ（１０インチ／ｍｉｎ）で初回伸張力を受け、２００％伸張で３０秒間保持される。試験片はその後、張力がかけられていない状態へ同一速度で弛緩させられる。試験片は同一速度および条件で第２伸張力（第２サイクルのため）を受ける前に１分間、拘束されないままに置かれる。
【００４８】
好ましい実施形態では、サイドエラストマー材料１２４のＦＣＥＦ  １００％は少なくとも約１００ｇ／インチである。より好ましくは、ＦＣＥＦ  １００％は約１２０〜約２２０ｇ／インチ、最も好ましくは約１５０ｇ／インチと約１９０ｇ／インチの間である。ＦＣＥＦ２００％は、好ましくは約１６０ｇ／インチと約４５０ｇ／インチの間、より好ましくは約１８０ｇ／インチと約３００ｇ／インチの間、さらにいっそうより好ましくは約２００ｇ／インチと約２４０ｇ／インチの間である。サイドエラストマー材料１２４のＳＣＲＦ  ５０％は、好ましくは約４０ｇ／インチと約１３０ｇ／インチの間、より好ましくは約６５ｇ／インチと約１０５ｇ／インチの間、さらにいっそうより好ましくは約７５ｇ／インチと約９５ｇ／インチの間である。５０％での持続性荷重は、好ましくは約４０ｇ／インチと約１３０ｇ／インチの間、より好ましくは約６５ｇ／インチと約１０５ｇ／インチの間、さらにいっそうより好ましくは約７５ｇ／インチと約９５ｇ／インチの間である。
【００４９】
図８に示されている好ましい実施形態では、エラストマースクリム１２４は複数の第１ストランド１２５および複数の第２ストランド１２７を有する。複数の第１ストランド１２５は予定角度αでの節点１３０で複数の第２ストランド１２７に交差し、複数のアパーチャ１３２を有する網様開口構造を形成する。各アパーチャ１３２は少なくとも２本の隣接第１ストランドと少なくとも２本の隣接第２ストランドによって限定されているので、その結果アパーチャ１３２は実質的に形状が長方形である。例えば平行四辺形、正方形または円弧区間のようなアパーチャ１３２のその他の形状もまた用意することができる。好ましくは、第１および第２ストランド１２５および１２７は、実質的に直線かつ実質的に相互に平行である。好ましくは、第１ストランド１２５は角度αが約９０度であるように節点１３０で第２ストランド１２７に交差する。第１および第２ストランド１２５および１２７は、好ましくは節点１３０で接合もしくは接着されている。好ましいエラストマースクリム１２４は、名称ＸＯ２５１４を付けてＣｏｎｗｅｄ  Ｐｌａｓｔｉｃｓ  Ｃｏｍｐａｎｙによって製造されている。この材料は、構造方向Ｂにおいて１インチ当たり約１２本の弾性ストランド（すなわち、第１ストランド１２５）および構造方向Ｄにおいて１インチ当たり約７本の弾性ストランド（すなわち、第１ストランド１２５）を有する。
【００５０】
図１１に示されている別の好ましい実施形態では、エラストマー材料１２４は多孔質の肉眼的に拡張させた三次元エラストマーウェブ１７２を備えることができる。ウェブ１７２は、連続第１表面１７４および第１表面１７４から遠く離れた不連続第２表面１７６を有する。エラストマーウェブ１７２は、好ましくは少なくとも２つのポリマー層を有する成形フィルムを備えるが、それらの層のうち少なくとも１つはエラストマー層１７８であり、他方の層のうち少なくとも１つは実質的に低弾力性スキン層１８２である。エラストマーウェブはウェブ１７２の第１表面１７４において多数の第１アパーチャ１８４を示し、第１アパーチャ１８４は相互接続部材１８６の連続ネットワークによって第１表面１７４の平面に限定されている。各相互接続部材１８６はその長さに沿って上向き凹面形断面を示す。相互接続部材１８６は実質的に相互に同時に終了してウェブの第２表面の平面において第２アパーチャを形成する。そうした構造の詳細および製造方法は、１９９７年３月１４日に出願された米国特許出願第０８／８１６，１０６号に開示されている。好ましい多孔質エラストマー材料１２４は、名称Ｘ−２５００７を付けてＴｒｅｄｅｇａｒ  Ｆｉｌｍ  Ｐｒｏｄｕｃｔｓによって製造されている。第１アパーチャ１８４はいずれかの形状を有することができる。好ましくは、第１アパーチャ１８４は長軸および前記長軸に垂直である短軸を有する例えば楕円形のような形状を有し、さらに長軸は概して歪み誘発性適用応力に直交するように方向付けられる。
【００５１】
図８に示されている実施形態では、サイド弾性部材７０は第１および第２カバーストック層１２２および１２６、ならびに第１および第２カバーストック層１２２および１２６に配置されたサイドエラストマー材料１２４を備える。第１カバーストック層１２２は内面１４２および外面１４４を有する。第１カバーストック層１２２の内面１４２は、サイドエラストマー材料１２４に面して配置されている表面である。第２カバーストック層１２６もまた、内面１４６および外面１４８を有する。第２カバーストック層１２２の内面１４６は、サイドエラストマー材料１２４に面して配置されている表面である。サイドエラストマー材料１２４はさらにまた２つの平坦な表面、第１表面１５０および第２表面１５２を有するが、それらは各々第１および第２カバーストック層１２２および１２６の平面と平行である。第１表面１５０は、第１カバーストック層１２２の内面１４２と最も密接に隣接しているサイドエラストマー材料１２４の平坦な表面である。第２表面１５２は、第２カバーストック層１２６の内面１４６と最も密接に隣接しているサイドエラストマー材料１２４の平坦な表面である。
【００５２】
サイド弾性部材７０は使用前および使用中に機械的ストレッチングを受けさせられるので、第１および第２カバーストック層１２２および１２６は好ましくは破断時に相当高い伸びを有し、好ましくは過度のおよびより好ましくは全く引裂きもしくは引き剥がしを生じることなく引き伸ばし可能もしくは伸張可能、さらにいっそうより好ましくは延伸可能である（しかし必ずしも弾性ではない）。さらに、第１および第２カバーストック層１２２および１２６は、好ましくはコンプライアントで、感触が柔らかく、さらに装着者の皮膚に非刺激性であり、製品に布製衣料品の感触および心地よさを与える。第１および第２カバーストック層１２２および１２６のために適切な材料は、プラスチックフィルム、開口プラスチックフィルム、天然繊維の織布もしくは不織布ウェブ（例、木材もしくは綿繊維）、合成繊維（例、ポリオレフィン類、ポリアミド類、ポリエステル、ポリエチレン、もしくはポリプロピレン繊維）、または天然および／または合成繊維の組み合わせ、またはコーティングされた織布もしくは不織布ウェブのような広範囲の材料が含まれる。
【００５３】
好ましくは、第１および第２カバーストック層１２２および１２６の各々は同一の不織布材料である。代表的な好ましい不織布材料は、１８〜３５ｇ／ｍ２の範囲内の坪量を有する名称ＤＡＰＰ−Ｓを付けてＦｉｂｅｒ  ＷｅｂＣｏｍｐａｎｙによって製造されている。不織布は圧密化されても、圧密化されなくてもよい。好ましくは、不織布はエラストマースクリムのためのカバーストック層に使用するために圧密化されている。この材料は圧密化の前は１８〜３５ｇ／ｍ２の範囲内の坪量を有し、圧密化の後は４０〜７０ｇ／ｍ２の範囲内の坪量を有する。ここで使用するように「坪量」は平坦なウェブ材料１平方メートル当たりの重量である。あるいはまた、高度に歪ませることのできる不織布材料が使用されてもよい。あるいはまた、第１および第２カバーストック層１２２および１２６は、例えば弾性性能、柔らかさ、柔軟性、通気性および耐久性のような望ましい性能要件が満たされる限りは、同一材料である必要はない。ここで使用するような「圧密化不織布材料」は、材料が小さい力を受けて構造方向Ｄに伸張できるように構造方向Ｄにおける機械的引っ張り下でギャザリング加工またはネッキング加工されている不織布材料を意味する。
【００５４】
図９は、ラミネート１２０（すなわち、サイド弾性部材７０）の構造方向Ｂを見ている部分拡大側面図である。サイド固定区域Ａが作り出されるようにラミネート１２０が接着またはさもなければ固定されているときは、そうしたラミネート１２０は高度に弾性であり、さらに層間剥離およびクリープからも免れており、全ての性能カテゴリーにおいて極めて良好な性能特徴を提供し、あらゆる性能特徴間のトレードオフが必要とされない。サイドの固定は、好ましくはラミネート加工プロセスの一部としてカバーストック層１２２と１２６の間にサイドエラストマー材料１２４を固定するために接着剤ビーズを用いたサイド接着によって実施される。あるいはまた、サイド固定は縫製、ヒートシール加工、超音波接着、ニードルパンチング、また別の接着プロセスによって、または当業者に知られているいずれかの他の手段によって遂行されてよい。また別の代替法は、エラストマーカバーストック構成要素のラミネート加工が実施された後に、ラミネート構造の層のサイドを固定する方法である。
【００５５】
好ましくは、ラミネート１２０は特に装着者および消費者にとって極めて良好な柔らかい感触を提供することができるこれは、消費者が柔らかさ尊重するので重要である。従来型ラミネートでは、クリープを排除するための試みはしばしば容認できない柔らかさの低下を必要とし、さらにしばしば活性化する能力の容認できない低下が付随した。これは、そうした以前の試み（これはクリープを排除することが不十分であった）は接着を強化することを試みてしばしば全体的コーティングパターンで追加のメルトブロウン接着剤を塗布することに焦点を当てていた。これは概して、ラミネートの望ましくない全体的硬化を生じさせた。しかし、好ましい実施形態のラミネートは、消費者が望むソフトな感触の消失を生じさせず、さらに活性化能力の弱体化を生じさせずにクリープの排除を提供する。
【００５６】
図９を参照すると、第１接着剤１７０がラミネート構造１２０の外側部分１８０の各々に対応する位置で第２カバーストック層１２６の内面１４６に塗布される。第１接着剤１７０は、あるいはまたもしくは追加して第１カバーストック層１２２の内面１４２に塗布されてもよい。容易に図示するために、説明および図面は第２カバーストック層１２６への塗布だけに関している。
【００５７】
このパターンはサイド固定区域Ａを作り出すが、これは実質的に以前に知られている層に結び付いていた層間剥離およびクリープを排除し、ラミネート１２０がクリープもしくは層間剥離を起こさずにより高い歪みを経験することを許容する。さらにまた、ラミネート構造１２０の縁領域１８０に第１接着剤１７０を限定することによってラミネート１２０の伸張性を侵害することが回避され、さらにカバーストック層１２２および１２６における引裂きが回避される。好ましくは、第１接着剤１７０は、図９に示されているように複数のビーズ１６８として塗布される。好ましくは、接着剤１７０は無定形かつ結晶化成分を備える柔軟性接着剤である。そうした好ましい接着剤は、名称Ｈ９２２４を付けてＦｉｎｄｌｅｙ  Ａｄｈｅｓｉｖｅ  Ｃｏｍｐａｎｙによって製造されている。
【００５８】
より好ましくは、ラミネート１２０は第２接着剤１６４を含む。第２接着剤１６４は好ましくはサイドエラストマー材料１２４の第２表面１５２に塗布されるが、あるいはまたエラストマー材料１２４の第１表面１５０に塗布することもできよう。第２接着剤１６４は、好ましくはらせんスプレーパターン１６６で塗布され、それによって線形スプレー塗布によって形成されるものより散在性の接着点１６７ｂが形成される。理論に結び付けなくても、そのようにスプレーされた第２接着剤１６４のほとんどは構造方向Ｄに整列すると考えられる。従って、らせんスプレー法は極めて良好な活性化特性を生じさせることが発見されている。ここで使用するような「活性化」は、伸張する能力を意味する。
【００５９】
第２接着剤層１６４を直接にサイドエラストマー材料１２４の第２表面１５２上にスプレーすることは、対向する（すなわち、第２）カバーストック層１２６に塗布することより好ましい。これは、第２接着剤１６４がサイドエラストマー材料１２４の表面上に残留している可能性のある残留加工処理剤もしくは油に浸透する傾向を示すためである。そうした残留材料は、もしサイドエラストマー材料１２４上に残っていた場合は、時の経過に伴って粘着性接着を、従ってラミネート構造１２０を弱化させる可能性がある。例えば、これらの残留材料が無傷で残っている場合、ラミネート１２０を形成するために使用された接着は消費者が製品を購入する前の時間間隔中に弱化する可能性がある。
【００６０】
らせん接着剤領域におけるラミネート１２０に対するピール（剥離）値は、典型的には対向する（すなわち、第２）カバーストック層１２６に対してよりサイドエラストマー材料１２４に直接塗布されたときの方が高い。ここで「ピール値」は、２層のカバーストック材料１２２および１２６を相互から分離するために必要とされる力の量を意味する。より高いピール値は、典型的には使用中の層間剥離が発生する機会が少ないことと同等と見なされる。
【００６１】
第３接着剤１６０もまた、好ましくは第１カバーストック層１２２の内面１４２に塗布される。好ましくは、第１接着剤１６０はエラストマー接着剤である。第２らせん接着剤塗布１６６を参照して説明されたものに類似する方法で、第１接着剤１６０は、好ましくはらせんスプレーパターン１６２で塗布され、それによって線形スプレー塗布によって形成されるものより散在性の接着点１６７ａが形成される。理論に結び付けなくても、そのようにスプレーされた第１接着剤１６０のほとんどは構造方向Ｄに整列すると考えられる。
【００６２】
好ましくは、第１および第３接着剤１６０および１６４は同一エラストマー系接着剤である。第２および第３接着剤らせんスプレー１６２および１６６において使用するために好ましい接着剤は名称Ｈ２１２０を付けてＦｉｎｄｌｅｙ  Ａｄｈｅｓｉｖｅ  Ｃｏｍｐａｎｙによって製造されている。好ましくは、第２および第３接着剤らせんスプレー１６２および１６６各々に対するアドオンレベルは、約０．０６２〜約０．１８６ｇ／ｍ２、より好ましくは約０．１２４ｇ／ｍ２である。
【００６３】
図１を参照すると、引張り装着型おむつ２０はさらに連続伸張性ウエスト装備６０を有する。連続伸張性ウエスト装備６０はフィット、適用の容易さおよび封じ込めを向上させた。連続伸張性ウエスト装備６０は、弾性的に伸張性であり装着者のウエストに動的にフィットすることが意図されている引張り装着型おむつ２０の部分もしくは区域である。連続伸張性ウエスト装備６０はウエストバンドパネル６および７に沿って伸張する。好ましくは、連続伸張性ウエスト装備６０は２つの個別要素前方領域２６に配置された１つの連続伸張性ウエストバンド５７、および後方領域に配置されたもう１つの連続伸張性ウエストバンド５９を備えるが、他の引張り装着型おむつは一体型連続伸張性ウエストバンドを備えて構成することができる。同様に図７を参照すると、連続伸張性ウエストバンド５７および５９は、好ましくはウエスト弾性材料２００（図８に示されている）を有するウエスト弾性部材８０および例えばトップシート２４およびバックシート２２のような吸収性コア２５と結び付けて配置されている複数の層の少なくとも１つの伸張性部分を備える（図７は前方領域２６における構造だけを描いているが、好ましくは後方領域２８における構造も前方領域２７における構造と同一もしくは類似である）。好ましくは、連続伸張性ウエストバンド５７および５９は少なくとも側面方向に、より好ましくは側面方向および長手方向の両方に弾性的に伸張性である。ある好ましい実施形態では、ウエストバンドパネル６および７はウエスト弾性部材８０によって連続伸張性ウエストバンド５７および５９を形成するために少なくともウエストバンドパネル６および７の全側方長さにおいて伸張性にされている。図３に示されている実施形態では、ウエスト弾性部材８０は、連続伸張性ウエストバンド５７と連続伸張性ウエストバンド５９が相互に継ぎ目３２で固定され、さらに前方領域２６におけるウエスト弾性材料８０および後方領域２８における弾性材料８０が継ぎ目３２で固定されるように、継ぎ目パネル１２および１３内に伸びていてよい（図７もまた、継ぎ目パネル１２および１３内に伸びているウエスト弾性部材８０を示しているが、図７では継ぎ目パネル１２および１３は示されていない）。連続伸張性ウエストバンド５７および５９は、図１に示されているような引張り装着型おむつ２０の組み立てられた形状において１つの連続伸張性ウエスト装備６０を形成する。
【００６４】
連続伸張性ウエストバンド５７および５９は、引張り装着型おむつ２０の単一要素によって形成されてよい（すなわち、それらは引張り装着型おむつ２０に固定された個別に操作する要素ではなく、むしろ引張り装着型おむつの１つ以上の様々な層の伸長部分から形成されている伸長部分である）。ある好ましい実施形態では、連続伸張性ウエストバンド５７および５９の各々はシャシー４１の突き出し部材を備える。好ましくは、連続伸張性ウエストバンド５７および５９は少なくとも１つの単一要素またはシャシー４１の一部を形成して連続伸張性ウエストバンド５７および５９内に連続的に伸びている連続シート材料を備える。あるいはまた、連続伸張性ウエストバンド５７および５９は、個別部材をシャシー４１のウエスト部分に接合することによって形成することができる。
【００６５】
連続伸張性ウエストバンド５７および５９は、ウエスト弾性部材８０と例えばトップシート２４およびバックシート２２のような吸収性コア２５に結び付けて配置されている複数の層の少なくとも１つの伸長部分とを備える。内側バリヤーカフ５４または追加の液体吸収ティッシュー層のような追加の層が吸収性コア２５に結び付けて追加される場合は、追加の層が連続伸張性ウエストバンド５７および５９の一部を形成していてもよい。図７に示されている好ましい実施形態では、連続伸張性ウエストバンド５７のサイド部分５７Ｂは内側バリヤーカフ５４の伸長部分７２、不織布外側カバー２３の端伸長部分２３Ａ、およびウエスト弾性部材８０のサイド部分のラミネーションを備える。伸張性ウエストバンド５７の中央部分５７Ａはトップシート２４の端伸長部分２４Ａ、不織布外側カバー２３の端伸長部分２３Ａ、およびウエスト弾性部材８０の中央部分のラミネーションを備える（図７は前方領域２６における構造だけを描いているが、好ましくは後方領域２８における構造は前方領域における構造と同一もしくは類似である）。しかし、この実施形態では、内側バリヤーフィルム６８は連続伸張性ウエストバンド５７内に伸びていない。あるいはまた、内側バリヤーカフ５４、トップシート２４および／または不織布外側カバー２３は連続伸張性ウエストバンド５７内に伸びていなくてよい。トップシート２４と不織布外側カバー２３の両方が連続伸張性ウエストバンド５７内に伸びていない場合は、連続伸張性ウエストバンド５７が内側バリヤーフィルム６８およびウエスト弾性部材８０の伸長部分を備える可能性がある。
【００６６】
ウエスト弾性部材８０は、引張り装着型おむつ２０の最内側表面（身体に面する表面）の内側に挿入されている。ウエスト弾性部材８０は、内側バリヤーカフ５４、不織布外側カバー２３の伸長部分２３Ａ、およびトップシート２４の端伸長部分２４Ａに操作可能に接合されていてよい。ウエスト弾性部材８０は、間欠的接着形状もしくは実質的連続的接着形状のいずれかを使用することによってそれらに操作可能に接合させることができる。特に好ましい実施形態では、選択された接着剤は約０．１１６ｇ／ｍ２の坪量で、らせんパターン（例えば米国特許第３、９１１，１７３号（Ｓｐｒａｇｕｅ，Ｊｒ．）および米国特許第４，８４２，６６６号（Ｗｅｒｅｎｉｃｚ）において示されているような）で塗布される。これらのらせんは約１．９ｃｍ（０．７５インチ）の幅を有し、一方が他方のすぐ隣にまたはわずかに重複（２ｍｍ未満）して配置される。接着剤は、好ましくは名称Ｈ２１２０を付けてＦｉｎｄｌｅｙ  Ａｄｈｅｓｉｖｅｓから入手できるような接着剤である。あるいはまた、ウエスト弾性部材および他のストレッチラミネートの構成要素が熱接着法、圧力接着法、超音波接着法、動的機械的接着法、または技術において知られている他の方法を使用して相互に間欠的もしくは連続的に接着されてもよい。
【００６７】
ウエスト弾性部材８０の引っ張られていない全長は、好ましくは左右の内側バリヤーカフ５４の伸長部分７２、トップシート２４の伸長部分２４Ａ、および不織布外側カバー２３の端伸長部分２３Ａに操作可能に接合される前に側面方向に前もって引っ張られる。ウエスト弾性部材８０の引っ張られていない全長は、シャシーのウエストバンドパネル６および７の少なくとも最初の長さまで側面方向に前もって引っ張られる。ウエスト弾性部材８０の引っ張られていない全長はさらにまた、継ぎ目パネル１２および１３の一部分内まで伸張するように前もって引っ張られてもよい。実施形態では、シャシー４１のウエストバンドパネル６および７は左右の内側バリヤーカフ５４の伸長部分７２、トップシート２４の伸長部分２４Ａ、および不織布外側カバー２３の端伸長部分２３Ａを備える。ここで「最初の長さ」は、弾性的に伸張性にさせられる前および永久的機械的ストレッチングを受ける前の単一材料もしくは複合材料の長さを意味する。ここで「前もって引っ張られた全長」は、弾性材料の部分長もしくは全長が側面方向に前もって引っ張られた条件下での弾性材料の全長を意味する。この実施形態では、ウエストバンドパネル６および７の最初の長さは、ウエスト弾性部材８０がそれに接合される前の組み立てられた形状下での左右の内側バリヤーカフ５４の伸長部分７２、およびトップシート２４の伸長部分２４Ａの結合長さと概して同一である。ウエストバンドパネル６および７の最初の長さは、さらにまた概してそこにウエスト弾性部材８０が接合される前の不織布外側カバー２３の端伸長部分２３Ａの長さと同一である。ウエスト弾性部材８０は、好ましくは引っ張られていない（すなわち、張力がかけられていない）長さの２０〜１００％の範囲内で前もって引っ張られる。より好ましくは、ウエスト弾性部材８０は、４０〜８０％の範囲内で前もって引っ張られてもよい。前もって引っ張られたウエスト弾性部材８０が接合された後は、ウエスト弾性部材８０はその後、ウエスト弾性部材８０へ接合された内側バリヤーカフ５４の伸長部分７２、トップシート２４の伸長部分２４Ａ、および不織布外側カバー２３の端伸長部分２３Ａのような他の構成要素と一緒に実質的に張力がかけられていない状態へ復元するに任される。こうして連続伸張性ウエストバンド５７および５９は、ウエスト弾性部材８０の張力がかけられていない長さから少なくともシャシー４１のウエストバンドパネル６および７の最初の長さまで伸張性に形成される。
【００６８】
あるいはまた、ウエスト弾性部材８０の一部が前もって引っ張られている状態にあるウエスト弾性部材８０の前もって引っ張られた全長が概してシャシー４１のウエストバンドパネル６および７の最初の長さと概して同一であるように、ウエスト弾性部材８０の一部分だけが複数の層の少なくとも１つの伸長部分に操作可能に接合される前に前もって引っ張られてもよい。好ましくは、ウエスト弾性部材８０に隣接する吸収性コア２５の側方幅Ｘ（図３に示されている）に沿って伸張するウエスト弾性部材８０の一部だけが前もって引っ張られてよい。
【００６９】
伸張性材料の例は、１９３７年３月３０日にＧａｌｌｉｇａｎへ発行された米国特許第２，０７５，１８９号；１９６２年３月１３日にＨａｒｗｏｏｄへ発行された米国特許第３，０２５，１９９号；各々１９７８年８月１５日および１９８０年６月２４日にＳｉｓｓｏｎへ発行された米国特許第４，１０７，３６４号および第４，２０９，５６３号；１９８９年５月３０日にＳａｂｅｅへ発行された米国特許第４，８３４，７４１号；および１９９２年９月２９日にＢｕｅｌｌらへ発行された米国特許第５，１５１，０９２号に開示されている。
【００７０】
連続伸張性ウエストバンド５７および５９は、ウエスト弾性部材８０の張力がかけられていない長さから少なくともシャシー４１のウエストバンドパネル６および７の最初の長さまで伸張性であるように形成される。しかし、ウエスト弾性部材８０は通常は、実質的に非弾性であるトップシート２４およびバックシート２２のように、吸収性コア２５と結び付けて配置された複数の層の少なくとも１つの伸長部分に接合されている。このため、ウエスト弾性部材８０はウエスト弾性部材８０張力がかけられていない長さとシャシー４１のウエストバンドパネル６および７の最初の長さの間でのみ伸張することができ、さらにシャシー４１のウエストバンドパネル６および７の最初の長さを越えて伸張することはできない。これは、ウエスト弾性部材８０自体がたとえシャシー４１のウエストバンドパネル６および７の最初の長さまたはウエスト弾性部材８０の前もって引っ張られた全長を越えて伸張することができる場合であっても、連続伸張性ウエストバンド５７および５９（すなわち、連続伸張性ウエスト装備６０）の伸張範囲の上限を限定する。伸張範囲の上限におけるこの限定は、連続伸張性ウエストバンド５７および５９のために十分な伸張性を許容しない。このため、装着者に適用するために引張り装着型おむつ２０が伸張させられたときは、引張り装着型おむつ２０は十分なサイズのウエスト開口部を提供しない可能性がある、または十分なサイズのウエスト開口部を入手するために引張り装着型おむつ２０における他の伸張性材料から伸張性を探し出すためにアプリケーターが引張り装着型おむつ２０へはるかに大きな力を適用しなければならない。これは引張り装着型おむつを装着者に適用するときの困難さを引き起こす可能性がある。
【００７１】
このため連続伸張性ウエストバンド５７および５９はシャシー４１のウエストバンド６および７の最初の長さまたはウエスト弾性部材８０の前もって引っ張られた全長を越えて大きな範囲の伸張性（すなわち、伸張範囲）を提供するために弾性的に伸張性にさせられている。つまり、ウエスト弾性部材８０が内側バリヤーカフ５４、トップシート２４および不織布外側カバー２３へ前もって引っ張られた（張力がかけられた）状態下で操作可能に接合させられた後でそれらが実質的に張力がかけられていない状態へ復元する前に、結果として生じる複合ストッチラミネート（すなわち、連続伸張性ウエストバンド５７および５９）の少なくとも一部分好ましくは全部はその後ウエスト弾性部材８０の一部を成す左右の内側バリヤーカフ５４の伸長部分７２、トップシート２４の端伸長部分２４Ａ、不織布外側カバー２３の端伸長部分２３Ａおよびカバーストック層（もしあれば）である非弾性構成要素を永久的に伸張させるために十分な機械的ストレッチングを受けさせられる。これは連続伸張性ウエストバンド５７および５９のためにより広範囲の伸張範囲を提供し、それによって適用の容易さという利点を提供する。あるいはまた、ウエスト弾性部材８０は、「ゼロ歪み」ストレッチラミネートを形成できるように実質的に張力がかけられていない（ゼロ歪み）状態で内側バリヤーカフ５４、トップシート２４および不織布外側カバー２３に接合されてもよい。好ましい装置および方法は、１９９２年１２月１日にＷｅｂｅｒらへ発行された米国特許第５，１６７，８９７号；１９９０年１０月２０日にＢｕｅｌｌらへ発行された米国特許第５，１５６，７９３号；１９９２年９月１日にＷｅｂｅｒらへ発行された米国特許第５，１４３，６７９号および１９９８年５月７日に出願された「動いているウェブを活性化させるための方法および装置（ＭＥＴＨＯＤ  ＡＮＤ  ＡＰＰＡＲＡＴＵＳ  ＦＯＲ  ＡＣＴＩＶＡＴＩＮＧ  Ａ  ＭＯＶＩＮＧ  ＷＥＢ）」と題する欧州特許出願第９８１０８２９０．２号（Ｃｈｒｉｓｔｏｐｈ  Ｊ．Ｓｃｈｍｉｔｚら）に開示されている。
【００７２】
ウエスト弾性部材８０は、サイドエラストマー材料１２４と同一の材料／構造を使用できるウエストエラストマー材料２００を備える。あるいはまた、ウエストエラストマー材料２００はサイドエラストマー材料１２４とは相違する材料／構造を使用することもできる。ウエスト弾性部材８０はさらに、第１カバーストック層２０２と第２カバーストック層２０４の一方または両方を含むこともできる。ウエスト弾性部材８０の構造は、サイドエラストマー部材７０と同一もしくは類似であってよい。カバーストック層２０２および２０４の構造、材料、および／または特性はカバーストック層１２２および１２４の構造、材料、および／または特性と同一または類似であってもよい、またはそれらと相違していてもよい。さらに、ウエストエラストマー材料２００をカバーストック層２０２および２０４に接合させるための方法は、上記で耳パネル部材７０について記載された方法と同一または類似であってもよい、またはそれらと相違していてもよい。ある好ましい実施形態では、ウエスト弾性部材８０はウエストエラストマー材料２００およびカバーストック層２０２もしくは２０４の１つの層を備える。そうした場合には、ウエストエラストマー材料２００は内側バリヤーカフ５４およびトップシート２７に面して配置され、さらにカバーストック層２０２もしくは２０４は装着者の皮膚がウエストエラストマー材料によって直接圧迫されず、それによって皮膚上の赤い締め付け跡の発生を低下させるように装着者の身体に面して接触するように配置される。
【００７３】
図１２は、連続伸張性ウエストバンド５７および５９の別の好ましい実施形態を示している。この実施形態では、ウエスト弾性部材８０は不織布外側カバー２３の内側に挿入される。好ましくは、連続伸張性ウエストバンド５７のサイド部分５７Ｂにおいて、ウエスト弾性部材８０は内側バリヤーカフ５４の伸長部分７２と不織布外側カバー２３の伸長部分２３Ａとの間に挿入される。中央部分５７Ａでは、ウエスト弾性部材８０はトップシート２４の端伸長部分２４Ａと不織布外側カバー２３の伸長部分２３Ａとの間に挿入される。ウエスト弾性部材８０は、内側バリヤーカフ４３の伸長部分、不織布外側カバー２３の伸長部分２３Ａおよびトップシート２４の端伸長部分２４Ａに操作可能に接合されてよい。ある実施形態では、ウエスト弾性部材８０はウエストエラストマー材料２００およびカバーストック層２０２もしくは２０４の１つの層を備える。ある場合には、ウエストエラストマー材料２００は内側バリヤーカフ５４およびトップシート２７に面して配置され、さらにカバーストック層２０２もしくは２０４は不織布外側カバー２３に面して配置される。このカバーストック層の配置は、エラストマー材料２００が外側から通して見えるのを阻止する傾向があるが、それはウエストエラストマー材料２００と不織布外側カバー２３との間に挿入されるように１つの層（カバーストック層）が追加されるためである。また別の場合には、ウエストエラストマー材料２００は不織布外側カバー２３に面するように配置され、さらにカバーストック層２０２もしくは２０４が内側バリヤーカフ５４およびトップシート２７に面するように配置される。このカバーストック層の配置は、皮膚上の赤い締め付け跡の発生を減少させる傾向があるが、それはウエストエラストマー材料２００と装着者の皮膚との間に挿入されるように１つの層（カバーストック層）が追加されるためである。どちらの場合においても、カバーストック層の１つが排除される（２層のカバーストック層を使用する場合に比較して）ので、連続伸張性ウエストバンド５７におけるかさ高さが減少する。さらに、その中に含まれる材料が少ないために、連続伸張性ウエストバンド５７での通気性が強化される。追加して、連続伸張性ウエストバンド５７はより利用可能な伸張性を有するようになる。ある好ましい実施形態では、連続伸張性ウエストバンド５７は、前もって引っ張られ、その後に張力をかけられていない最初の状態に復元させられるウエストエラストマー材料２００を備えるウエスト弾性部材８０によって形成される。ウエストエラストマー材料２００が張力をかけられていない最初の状態に復元したときには、ウエストエラストマー材料２００に接合された他の構成要素はウエストエラストマー材料２００が張力をかけられていない最初の長さに復元することを阻害する傾向を示す。このため、ウエストエラストマー材料２００は全伸張性を利用することができない。しかし、上記の実施形態では、連続伸張性ウエストバンド５７におけるかさ高さが低下するので、ウエストエラストマー材料２００は極めて張力をかけられていない最初の状態に近く復元することができる。このため、ウエストエラストマー材料２００はより利用可能な伸張性を有するようになる。
【００７４】
あるいはまた、ウエスト弾性部材８０はカバーストック層を伴わない１層のウエストエラストマー材料２００を備えることができる。伸張性ウエストバンド５７のサイド部分５７Ｂでは、ウエストエラストマー材料２００は内側バリヤーカフ７２の伸長部分７２と不織布外側カバー２３の伸長部分２３Ａとの間に挿入されて直接に接合されている。中央部分５７Ａでは、ウエストエラストマー材料２００はトップシート２４の伸長部分２４Ａと不織布外側カバー２３との間に挿入されて直接に接合されている。この構造はさらにまた、伸張性ウエストバンド５７におけるかさ高さを減少させるため、通気性を教化するため、およびより利用可能な伸張性を有するためにも有用である。
【００７５】
サイド弾性部材７０およびウエスト弾性部材８０は個別要素から構成され、両方の部材７０および８０は好ましくは長手方向において相互に重複しないように配置される。しかし、両方の部材７０および８０は、好ましくは部材７０および８０が伸張性耳４６および４８において複合エラストマーネットワークを形成するようにそれらの間で実質的間隙がないように配置される。ここで「複合エラストマーネットワーク」は、２以上の個別エラストマー材料が実質的にエラストマー材料間の間隙がなく、もしくは予定間隔をあけて連続しており、それによって単一エラストマー材料のような伸張性の行動を示す区域もしくは領域を意味する。好ましくは、両方の部材７０および８０は間隙なく配置される。このため、伸張性耳４６および４８ならびに連続伸張性ウエストバンド５７および５８のサイド部分５７Ｂおよび５９Ｂは引張り装着型おむつ２０の組み立てられた形状においてウエスト開口部３６とレッグ開口部との間で連続的な単一エラストマー材料を備える。サイド弾性部材７０およびウエスト弾性部材８０は個別の要素から構成されるので、このためサイドエラストマー材料１２４およびウエストエラストマー材料２００もまた個別の要素から構成される。個別構造は各構成要素に相違する材料を使用したサイドエラストマー材料１２４およびウエストエラストマー材料２００のデザインを許容するので、従ってこれは引張り装着型おむつ２０の相違するパーツについて例えば力対伸張率曲線のような相違する伸張特性を許容する。個別構造はさらにまた、例えば前もって引っ張られた（張力がかけられた）状態または張力がかけられていない状態のような相違する状態でのサイドエラストマー材料１２４およびウエストエラストマー材料２００の使用も許容する。これは引張り装着型おむつ２０の相違するパーツを同一長さまで伸張させるために必要な力の識別または相違するパーツを相違する長さまで伸張させるために必要な力を平等化し、それによって装着者の皮膚に適用される圧力を調整することを許容する。たとえば、引張り装着型おむつ２０は引張り装着型おむつ２０の適用の容易さのためにアプリケーターによって適用される小さな力によって容易に連続伸張性ウエスト装備６０が伸張伸張するように小さな力で高伸張性を備えたウエストエラストマー材料２００を有することができるが、他方では引張り装着型おむつ２０は伸張性耳４６および４８での持続性フィットのために必要とされる力を生じさせるサイドエラストマー材料１２４を有することができるが、その力が皮膚の赤い締め付け跡を生じさせることはない。ある実施形態では、ウエストエラストマー材料２００を備える連続伸張性ウエスト装備６０は少なくとも１００％の伸張性を有するように設計されており、他方サイドエラストマー材料１２４を備える伸張性耳４６および４８は伸張性耳４６および４８が５０％まで伸張させられた（より具体的には、ＳＣＲＦ５０％で）ときに４０ｇ／インチから１３０ｇ／インチの間の力を有するように設計されている。
【００７６】
サイド弾性部材７０およびウエスト弾性部材８０の両方は長手方向において相互に重複しないように配置されているが、このためにサイドエラストマー材料１２４およびウエストエラストマー材料２００もまた重複していない。サイド弾性部材７０およびウエスト弾性部材８０は構造的に重複していないので、各部材７０および８０は単一伸張性材料を備えており、このためこれは実質的に均質な伸張特性を有する。これによってアプリケーターは、引張り装着型おむつの適用のための伸張中に適用される力の変化を感じることなく引張り装着型おむつ２０を平滑に伸張させることができる。
【００７７】
継ぎ目３２は各々継ぎ目パネル１２および１３を接合し、それによって伸張性耳４６および４８の対応する部分を接合し、さらにそれによって２つのレッグ開口部３４および１つのウエスト開口部３６を形成する。前方および後方伸張性耳４６および４８は、好ましくは外サイド縁４６Ｄおよび４８Ｄに沿って重複した継ぎ目構造を形成するために重複方法で継ぎ合わされる。あるいはまた、前方および後方伸張性耳４６および４８はバットシーム法（図面では示されていない）で継ぎ合わすこともできる。継ぎ目３２の接着は、前方および後方伸張性耳４６および４８に使用された特定材料のために適切な技術において知られているあらゆる適切な手段によって遂行できる。好ましくは、継ぎ目パネル１２および１３は着用中に引張り装着型おむつ２０上で作り出される力および応力に抵抗する予定パターンの熱／圧力もしくは超音波溶接によって接合される。継ぎ目３２はさらにまた、ウエスト開口部３６の周囲で連続伸張性ウエスト装備６０を形成するために連続伸張性ウエストバンド５７および５９も結合する。サイド弾性部材７０およびウエスト弾性部材８０が継ぎ目パネル１２および１３内に伸びているときは、継ぎ目３２は前方領域２６におけるサイド弾性部材７０を後方領域２８におけるサイド弾性部材７０に固定し、前方領域２６におけるウエスト弾性部材８０を後方領域２８におけるウエスト弾性部材８０に固定する。継ぎ目の例は、１９９６年１０月２９日Ｂｕｅｌｌ，らへ発行された米国特許第５，５６９，２３４号、１９９７年３月４日にＪｏｈｎｓｏｎらへ発行された米国特許第５，６０７，５３７号、１９９７年９月２日にＪｏｈｎｓｏｎらへ発行された米国特許第５，６６２，６３８号、および１９９７年１１月１１日にＢｕｅｌｌ，らへ発行された米国特許第５，６８５，８７４号において開示されている。好ましい継ぎ目は、１９９６年１１月２１日に出願された「ウェブの熱接合法（Ｔｈｅｒｍａｌ  Ｊｏｉｎｉｎｇ  ｏｆ  Ｗｅｂｓ）」と題する欧州特許出願第９６１１８６５４．１号（Ｃｈｒｉｓｔｏｐｈ  Ｊ．Ｓｃｈｍｉｔｚら）に開示されている。
【００７８】
ある好ましい実施形態では、外サイド縁４６Ｄおよび４８Ｄは内サイド縁４６Ｃおよび４８Ｃに対して平行ではなく、長手方向中心線１００に対して平行ではない。外サイド縁４６Ｄおよび４８Ｄは上方端縁４６Ａおよび４８Ａの近くで側面方向で外向きに突き出している。伸張性耳４６および４８は、下方端縁４６Ｂおよび４８Ｂの近くでの内サイド縁４６Ｃおよび４８Ｃと外サイド縁４６Ｄおよび４８Ｄとの間の側方幅Ｌ１より大きい上方端縁４６Ａおよび４８Ａの近くでの内サイド縁４６Ｃおよび４８Ｃと外サイド縁４６Ｄおよび４８Ｄとの間の側方幅Ｌ２を有する。このため、伸張性耳４６および４８の側面方向において利用可能なエラストマー材料量は下方端縁４６Ｂおよび４８Ｂの近くより上方端縁４６Ａおよび４８Ａの近くの方が多い。上方端縁４６Ａおよび４８Ａの近くの伸張性が強化されている。さらに、伸張性耳４６および４８はどちらも上方端縁４６Ａおよび４８Ａの近くでより大きな側方幅（すなわち、利用可能なエラストマー材料量）を有するので、側方幅（すなわち、利用可能なエラストマー材料量）はさらに伸張性耳４６と伸張性耳４８を組み合わせることによって上方端縁４６Ａおよび４８Ａの近くでより大きくなる。上方端縁４６Ａおよび４８Ａの近くで側方幅がより大きくなる形状のために、引張り装着型おむつはウエスト開口部の周囲でより多くのエラストマー材料量を利用可能になる。このため引張り装着型おむつはレッグ開口部の周囲で持続性のフィットを維持しながらウエスト開口部の周囲でマイナスの皮膚落下を惹起して皮膚に対する過度の圧力を与えない。さらに、それは適用の容易さという利点を提供する。伸張性耳４６と伸張性耳４８が接合されている形状では、継ぎ目３２は、継ぎ目３２が継ぎ目３２の高位部分３２Ｂの近くで側面方向で外向きに突き出しているように、図１３に示されているように長手方向中心線１００に対して平行である。図１３では、ウエスト弾性部材８０は張力がかけられた（前もって引っ張られた）状態でシャシー４１のウエストバンドパネル６および７に接合され、さらに実質的に張力がかけられていない状態へ復元するに任されるが、他方サイド弾性部材７０は張力がかけられていない状態で伸張性耳４６および４８へ接合されている。このため、連続伸張性ウエスト装備６０に沿った周囲はわずかに収縮している。ウエストエラストマー材料２００がさらに前もって引っ張られている場合は、連続伸張性ウエスト装備６０に沿った周囲は図１４に示されているように伸張性耳４６および４８の一部分を通して引張り装着型おむつ２０の周囲より小さくなる。しかし、上方端縁４６Ａおよび４８Ａの近くでより大きい側方幅を有する伸張性耳４６および４８の最初の形状のために、図１４に示されている引張り装着型おむつ２０はそれでもなお上方端縁４６Ａおよび４８Ａの近くでより多いエラストマー材料量を有する。ここで「周辺方向」は、引張り装着型おむつの組み立てられた形状におけるウエスト開口部に沿った方向を意味する。ここで「周囲」は、周辺方向に沿った引張り装着型おむつの長さを意味する。
【００７９】
連続ベルト区域３８は、図１に示されているように前方および後方伸張性耳４６および４８、シャシー４１の一部、および連続伸張性ウエスト装備６０によって形成される。連続ベルト区域は、引張り装着型おむつ２０の適用のために連続ベルト区域の周囲が伸張させられるように伸張性である引張り装着型おむつの部分またはベルト様区域である。引張り装着型おむつ２０が装着者に適用されるときには、引張り装着型おむつ２０は引張り装着型おむつ２０の適用を容易にするためにより広いウエスト開口部およびより広いレッグ開口部を確保するために伸張させられなければならない。連続ベルト区域３８は、図１に示されている組み立てられた形状では、引張り装着型おむつのウエスト縁１５１および１５５、レッグ縁１５３および１５６、前方領域および後方領域２８における股領域の側方縁１５９によって取り囲まれている。連続ベルト区域３８は、典型的には耳パネルで最も少ない高さを有する。図１に示されている実施形態では、連続ベルト区域３８の最も小さい高さは継ぎ目３２によって測定される。連続ベルト区域３８は、さらにレッグ開口部３４によって中断されないが、レッグ開口部３４に最も近い連続最低線３５を有する。連続ベルト区域３８は２つの部分を有する；連続伸張性ウエスト装備６０が伸びている連続ウエストベルト区域３７、および伸張性耳４６および４８ならびにシャシー４１の一部が伸びている連続下方ベルト区域３９。ある好ましい実施形態では、連続ウエストベルト区域３７は連続伸張性ウエスト装備６０に一致する。
【００８０】
図３に示されている引張り装着型おむつが図１に示されているような組み立てられた形状になるある好ましい実施形態では、ウエスト端縁１５１および１５５に沿った連続ベルト区域３８の最初の周囲は、張力がかけられていない状態で２２０ｍｍ〜５２０ｍｍ、好ましくは２７０ｍｍ〜４２０ｍｍであってよい。ウエスト端縁１５１および１５５に沿った連続ベルト区域３８の周囲は、少なくとも６５０ｍｍ、好ましくは少なくとも７００ｍｍ、より好ましくは少なくとも７５０ｍｍ（伸張した周囲）まで伸張する。線３５に沿った連続ベルト区域３８の周囲は、３００ｍｍ〜５３０ｍｍ、好ましくは３８０ｍｍ〜４８０ｍｍであってよい。継ぎ目３２に沿って測定された連続ベルト区域３８の周囲は、５０ｍｍ〜１５０ｍｍ、好ましくは８０ｍｍ〜１２０ｍｍであってよい。連続ウエストベルト区域３７（すなわち、連続伸張性ウエスト装備６０）の高さは、５ｍｍ〜４０ｍｍ、好ましくは１５ｍｍ〜３０ｍｍであってよい。引張り装着型おむつ２０の一方の側における線３５に沿った伸張性耳４６および４８の結合側方長さ、５０ｍｍ〜１２０ｍｍ、好ましくは６０ｍｍ〜１００ｍｍであってよい。
【００８１】
図３に示されている形状を有する引張り装着型おむつは、それが組み立てられた形状になるときには、特にウエスト開口部３４の周囲で局所的に装着者の皮膚への圧力を低下させるが、それは伸張性耳４６および４８が後方端縁４６Ａおよび４８Ａの近くでより大きな側方幅（側面方向で利用可能なエラストマー材料量）を有するためである。必要な場合には、ウエストエラストマー材料２００はさらにウエスト開口部３６の周囲で圧力を低下させるためにより低いＳＣＲＦ５０％力を有する材料を使用することができる。しかし、ウエスト開口部３６の周囲でＳＣＲＦ５０％力を低下させることは引張り装着型おむつ全体にとっての持続性フィットを消失させる可能性がある。このために、引張り装着型おむつ全体にとっての持続性フィットを達成するために、レッグ開口部３４の周囲で圧力を上昇させることが必要になる場合がある。これは耳パネル１０および１１を接合する前にサイドエラストマー材料１２４だけを前もって引っ張ることによって達成できる可能性がある。さらに、サイドエラストマー材料１２４は、レッグ開口部３４の周囲でさらに圧力を上昇させるためにより高いＳＣＲＦ５０％力を有する材料を使用することができる。これらの力分布の組み合わせにより、引張り装着型おむつはウエスト開口部の周囲の皮膚上での赤い締め付け跡の発生を低く抑えながらレッグ開口部の周囲での持続性フィットを達成することを可能にする。あるいはまた、図３に示されている形状を有する引張り装着型おむつは、それが組み立てられた形状になるときには、ウエスト開口部の周囲での持続性フィットおよびレッグ開口部の周囲の皮膚上への赤い締め付け跡の低い発生を提供する可能性がある。これは、例えばレッグ開口部３４の周囲での圧力を低下させる目的でサイドエラストマー材料１２４のためにより低いＳＣＲＦ５０％力を有する材料を使用することによって達成できる。ウエストエラストマー材料２００はより高いＳＣＲＦ５０％力を有する材料を使用することができる。さらに、ウエストエラストマー材料２００は、ウエストバンドパネル６および７を接合する前に前もって引っ張られてよい。
【００８２】
連続ベルト区域３８は、装着者上で引張り装着型おむつ２０を維持するために、装着者上に配置されたときに引張り装着型おむつ２０において動的にフィット力を作り出すのに貢献する。連続ベルト区域３８によって生じるより高いフィット力は引張り装着型おむつにとっての持続性フィットのためには好ましいが、より高いフィット力を生じさせる連続ベルト区域３８は引張り装着型おむつを装着者に適用するときの困難さを引き起こすが、それはより広いウエスト開口部およびより広いレッグ開口部が確保されるように連続ベルト区域３８を伸張させるために引張り装着型おむつのアプリケーターが引張り装着型おむつにより高い力を適用しなければならないためである。連続ベルト区域３８はサイドエラストマー材料１２４およびウエストエラストマー材料２００を備えるので、両方のエラストマー材料は引張り装着型おむつを引っ張るプロセス中に伸張させられなければならない。このためにサイドおよびウエストエラストマー材料を含む連続ベルト区域３８の伸張性の特性は、単独連続伸張性ウエスト装備６０および／または単独伸張性耳４６および４８の伸張性特性よりはるかに重要であるが、それでも単独連続伸張性ウエスト装備６０および／または単独伸張性耳４６および４８の伸張性特性はやはり重要である。例えば１９９７年２月１１日にＫａｔｏ，らへ発行された米国特許第５，６０１，５４７号のような穿孔技術は，より心地よいフィットおよび改良使用容易性を提供する小児用トレーニングパンツのための改良弾性率を備えたウエスト弾性システムを開示している。しかし、この公開はウエスト弾性システムの改良にのみ向けられている。
【００８３】
連続ベルト区域３８は、最初の伸張（すなわち、０％）からの伸張範囲において伸張性である。伸張は次ぎの式から計算され：（（伸張した周囲−最初の周囲）／最初の周囲）×１００、に％（パーセント）の単位で表示される。連続ベルト区域３８の最初の周囲は、連続ベルト区域３８の張力がかけられていない状態下での周囲である。より広い伸張範囲は、引張り装着型おむつ２０の適用のためにより広いウエスト開口部およびより広いレッグ開口部を確保することを可能にする。より広い伸張した周囲は、引張り装着型おむつ２０を適用するために伸張した引張り装着型おむつと装着者の身体の間でより広いスペースを確保することを可能にする。連続ベルト区域３８の周囲は、連続ベルト区域３８のウエスト境界（すなわち、連続伸張性ウエスト装備６０のウエスト縁１５１および１５５）に沿って測定された周囲である。
【００８４】
引張り装着型おむつの適用の容易さという利点（すなわち、より広いウエスト開口部およびより広いレッグ開口部）を提供するために、引張り装着型おむつ２０の連続ベルト区域３８の最初の周囲は約２２０ｍｍ〜約５００ｍｍであってよく、さらに引張り装着型おむつ２０の連続ベルト区域３８の伸張した周囲は少なくとも約６５０ｍｍである。より詳細には、体重が約７ｋｇ〜約１０ｋｇのよちよち歩きの子供にフィットするように設計された引張り装着型おむつ２０の連続ベルト区域３８の最初の周囲は約２２０ｍｍ〜約４６０ｍｍ、好ましくは約２５０ｍｍ〜約３６０ｍｍである。体重が約９ｋｇ〜約１４ｋｇのよちよち歩きの子供にフィットするように設計された引張り装着型おむつ２０の連続ベルト区域３８の最初の周囲は約２４０ｍｍ〜約４８０ｍｍ、好ましくは約２７０ｍｍ〜約３８０ｍｍである。体重が１３ｋｇ以上のよちよち歩きの子供にフィットするように設計された引張り装着型おむつ２０の連続ベルト区域３８の最初の周囲は約２６０ｍｍ〜約５００ｍｍ、好ましくは約２９０ｍｍ〜約４００ｍｍである。体重が約７ｋｇ〜約１０ｋｇのよちよち歩きの子供にフィットするように設計された引張り装着型おむつ２０の連続ベルト区域３８の伸張した周囲は少なくとも約６５０ｍｍ、好ましくは約７００ｍｍである。体重が約９ｋｇ〜約１４ｋｇのよちよち歩きの子供にフィットするように設計された引張り装着型おむつ２０の連続ベルト区域３８の伸張した周囲は少なくとも約７００ｍｍ、好ましくは約７５０ｍｍである。体重が１３ｋｇ以上のよちよち歩きの子供にフィットするように設計された引張り装着型おむつ２０の連続ベルト区域３８の伸張した周囲は少なくとも約７５０ｍｍ、好ましくは約８００ｍｍである。引張り装着型おむつは少なくとも約１２５％、好ましくは約１３５％、好ましくは少なくとも約１５０％の伸張率までの範囲の伸張率を有する。
【００８５】
連続ベルト区域３８はさらにまた、伸張率範囲における力対伸張率曲線および伸張率範囲における伸張係数を有する。力対伸張率曲線は連続ベルト区域３８を伸張させるために必要な力と連続ベルト区域３８の伸張率との関係を表している。伸張係数は力の変化対伸張の変化の比率を表しており、ｇ／伸張率（％）（グラム／伸張率）の単位で表される。伸張係数は、力対伸張率曲線に基づいて入手される。伸張係数がより高いことは連続ベルト区域３８を伸張させるための力変化の比率がより高いことを意味する。伸張係数が劇的に高くなると、アプリケーターはそのパーツを伸張限界であると認識する。これとは逆に、より低い伸張係数は連続ベルト区域３８を伸張させるための力変化の比率がより低いことを意味する。これによってアプリケーターはより高い力を追加せずに連続ベルト区域３８を伸張させることができ、さらにアプリケーターは伸張の限界を認識しない。このため、連続ベルト区域３８は引張り装着型おむつの適用のためには伸張した周囲でより低い伸張係数を有することが好ましい。さらに、引張り装着型おむつの適用のためには引張り装着型おむつをより小さい力で伸張した周囲へ伸張させられることが好ましい。
【００８６】
引張り装着型おむつの適用の容易さという利点（すなわち、引張り装着型おむつを適用するために伸張を入手するためのより小さい力および引張り装着型おむつを適用するための伸張時のより低い伸張係数）を提供するためには、１２５％の伸張率での伸張係数は約１５０ｇ／伸張率（％）以下、好ましくは約１２０ｇ／伸張率（％）以下、より好ましくは約１００ｇ／伸張率（％）以下である。１２５％の伸張率までの伸張率範囲における伸張係数は、好ましくは約１５０ｇ／伸張率（％）以下、より好ましくは約１２０ｇ／伸張率（％）以下である。１３５％の伸張率での伸張係数は、約２００ｇ／伸張率（％）以下、好ましくは約１７５ｇ／伸張率（％）以下、より好ましくは約１５０ｇ／伸張率（％）以下である。１３５％の伸張率までの伸張率範囲における伸張係数は、約２００ｇ／伸張率（％）以下、好ましくは約１７５ｇ／伸張率（％）以下である。１５０％の伸張率での伸張係数は、約３００ｇ／伸張率（％）以下、好ましくは約２５０ｇ／伸張率（％）以下である。１２５％の伸張率を入手するための力は、好ましくは約５，０００ｇ以下、より好ましくは約４，５００ｇ以下である。１３５％の伸張率を入手するための力は、好ましくは約６，０００ｇ以下、より好ましくは約５，５００ｇ以下である。１５０％の伸張率を入手するための力は、好ましくは約９，０００ｇ以下、より好ましくは約８，０００ｇ以下である。
【００８７】
図１５は、引張り装着型おむつの連続ベルト区域３８の力対伸張率曲線の１つの好ましい例を示している。図１６は、図１５に示されている例の伸張係数対伸張率曲線を示している。連続ベルト区域３８の力対伸張率曲線および伸張係数対伸張率曲線を入手するための方法を下記で説明する。
【００８８】
連続ベルト区域３８の力対伸張率曲線および伸張係数対伸張率曲線を入手するための方法を下記で説明する。この方法は、力対伸張率曲線を測定するための「Ｓｉｎｔｅｃｈ  ＴｅｓｔＷｏｒｋｓ」ソフトウエアパッケージ内に含まれている修正最大引張試験法である。この測定は、基本的にはＩｎｓｔｒｏｎ力試験機および連続ベルト区域に適用される最大力を表す、０ｇ力から開始して１０，０００ｇ力までのつかみの代わりの２本の水平バーを使用することによって装着者に引張り装着型おむつを履かせるときのアプリケーターの習性をシミュレーションするように設計されている。この方法は、張力がかけられていない状態からおむつの最大引っ張りまでの「力対伸張率」曲線を生じさせる。上記のようにして生じさせられる力対伸張率データはその後「伸張係数対伸張率」に転換することができる。
【００８９】
本試験方法は下記に記載するようなサンプルの準備を必要とする。
【００９０】
（１）試験されるサンプルおむつを袋から取り出さなければならない。
【００９１】
（２）測定中におむつを引き伸ばさずに巻尺を使用しておむつのウエスト縁でのおむつ内周（張力がかけられていないおむつ周囲）を測定する。
【００９２】
本試験方法は下記の装置を含む。
【００９３】
（１）引張／サイクル試験機        Ｉｎｓｔｒｏｎ  ５５６４型
（２）オペレーションソフトウエア  Ｓｉｎｔｅｃｈ  ＴｅｓｔＷｏｒｋｓ
バージョン３．０
（３）ロードセル                  上方および下方つかみに水平に取り付けられた径２０ｍｍ×長さ１５０ｍｍのテフロンコーティングバー
本試験方法は下記の設定を用いて実施する。
【００９４】
（１）試験方法：引張試験
（２）移動速度：２０インチ／分
（３）標線距離：上方バーと下方バーの中心の距離は下記のように計算する：
（標線距離）＝（張力がかけられていないおむつ周囲）／２−３０ｍｍ
（４）サイクルの回数：１サイクル
（５）破断感度：７５％
（６）荷重限界：１０，０００ｋｇ
（７）計算入力：張力がかけられていないおむつ周囲、５００ｇ、１，０００ｇ、２，０００ｇ、３，０００ｇ、４，０００ｇ、５，０００ｇ、６，０００ｇのロードポイント
（８）計算結果：０ｇ（張力がかけられていない）、５００ｇ、１，０００ｇ、２，０００ｇ、３，０００ｇ、４，０００ｇ、５，０００ｇ、６，０００ｇ、ピーク荷重のロードポイントでの伸張時のおむつ周囲、ピーク荷重での周囲
一定ロードポイントでのおむつ周囲は下記のように計算する：
（おむつ周囲）＝（張力がかけられていないおむつ周囲）＋（伸張率）×２
一定ロードポイントでの伸張率は下記のように計算する：
（伸張率）＝（伸張したおむつ周囲−張力がかけられていないおむつ周囲）（張力がかけられていないおむつ周囲）
本試験方法は下記のように実行する：
（１）サンプルおむつおよび測定データを準備する。
【００９５】
（２）上記のＩｎｓｔｒｏｎ設定に従ってＩｎｓｔｒｏｎロードセルおよびジョグをセットアップし、その後ロードセルを校正する。
【００９６】
（３）ＴｅｓｔＷｏｒｋｓシステムにログインする。
【００９７】
（４）方法リストのツールバーから引張試験法を選択し、その後コントロールパネル、ロードメーター、エクステンションメーター、およびハンドセットをスクリーン上に出現させる。
【００９８】
（５）張力がかけられていないおむつ周囲データを計算入力画面における標線距離に入力する。
【００９９】
（６）上記で説明した標線距離設定に従ってルーラーを用いて標線距離をセットアップする。
【０１００】
（例：張力がかけられていないおむつ周囲＝３８０ｍｍ→標線距離＝３８０／２−３０＝１６０ｍｍ）
（７）ロード計におけるロードおよび伸張率計における伸張率をリセットする。
【０１０１】
（８）試験される製品を上方バーに取り付けることによって製品重量を計量し、その後ロードを再びリセットする。
【０１０２】
（９）サンプルおむつをジョグ上に置き、カフ／レッグ弾性部がバー上に貼り付いていないかどうかチェックする。
【０１０３】
（１０）おむつをジョグ上に置いた後は、ロード計をリセットしない。
【０１０４】
（１１）測定を開始するために「Ｒｕｎ（ラン）」をクリックする。
【０１０５】
（１２）測定が実施されたときには、ジョグは最初の位置に戻る。
【０１０６】
（１３）データを保存するために「Ｆｉｌｅ（ファイル）」をクリックし、おむつを取外す。
【０１０７】
（１４）他のサンプルについてステップ６〜１３を繰り返す。
【０１０８】
データは下記のように評価される。
【０１０９】
（１）全サンプルについて完了した後、データを適切な表計算プログラム（例、マイクロソフト・エクセル）へエクスポートする。
【０１１０】
（２）「力対伸張率曲線」は、パーセントでのおむつ伸張率に対するグラムでの力をプロットすることによって入手される。
【０１１１】
（３）「伸張係数」は、２つの連続データポイント間の力差を２つの同一ポイント間の伸張率差で割ることによって入手される。
【０１１２】
（４）「伸張係数対伸張率曲線」は、パーセントでのおむつ伸張率に対する（３）のステップで入手された「伸張係数」をプロットすることによって入手される。
【０１１３】
上記のように、連続ベルト区域３８は、装着者上に引張り装着型おむつ２０を維持するために装着者上に配置されたときに引張り装着型おむつ２０におけるフィット力を作り出す。連続ベルト区域３８はさらにまた、例えばサイドエラストマー材料１２４およびウエストエラストマー材料２００のような弾性材料を備える伸張性の区域を含む。伸張性の区域はさらにまたレッグエラストマー材料を備えることができる。レッグエラストマー材料は図３に示されている弾性ストランド６４のようなエラストマー材料を備える。レッグエラストマー材料は、サイドエラストマー材料１２４またはウエストエラストマー材料２００のために使用される材料を備えることができる。ここで「伸張性区域」は、アパーチャを伴うもしくは伴わない連続平面層の形状、または相互に接続されていないストランドの形状を有するエラストマー材料によって伸張性にされた引張り装着型おむつの連続領域または連続区域を意味する。伸張性区域は、連続ベルト区域３８において実質的に皮膚接触圧を発生させる連続ベルト区域３８における部分である。伸張性区域によって発生させられる皮膚接触圧は、装着者上に引張り装着型おむつを維持すること（引張り装着型おむつの持続性フィット）に貢献する。伸張性区域における皮膚接触圧は、全ての場所で均一でなくてもよい。例えば、ウエスト開口部周囲とレッグ開口部周囲との間の伸張性区域における皮膚接触圧は相互に相違していてもよい。さらに、皮膚接触圧はおむつの半径方向周囲またはおむつの足周囲で変化してもよい。
【０１１４】
伸張性区域では、皮膚上に圧力を加えるエラストマー材料（例、図８に示されているエラストマースクリム１２４の複数の第１ストランド１２５および複数の第２ストランド１２７）は、通常は残りの伸張性区域よりも高い皮膚接触圧を発生させる（例、図８に示されているエラストマースクリム１２４の複数のアパーチャ１３２）。このため、皮膚上に圧力を加えるエラストマー材料のより低い皮膚接触圧は局所的皮膚締め付け跡の発生の低下を導く。
【０１１５】
皮膚上に圧力を加えるエラストマー材料（サイドエラストマー材料および／またはウエストエラストマー材料）の皮膚接触圧は、装着者上に引張り装着型おむつ２０を維持するために好ましくは約０．２ｐｓｉ未満であってはならない、より好ましくは約０．３ｐｓｉ未満であってはならない。皮膚上に圧力を加えるエラストマー材料（サイドエラストマー材料および／またはウエストエラストマー材料）の皮膚接触圧は、伸張性区域における皮膚締め付け跡の発生を惹起させないためには約０．７５ｐｓｉ以下でなければならない、好ましくは約０．０６５ｐｓｉ以下でなければならない、より好ましくは約０．０５５ｐｓｉ以下でなければならない。皮膚上に圧力を加えるエラストマー材料の上記の範囲から選択されたあらゆる組み合わせは、装着者上での位置から垂れ下がったり、たるんだり、滑り落ちたりすることの低リスク、伸張性の区域における皮膚締め付け跡の発生の低リスク、およびエラストマー材料による皮膚締め付け跡の発生の低リスクを伴う引張り装着型おむつを提供するときに有効である。皮膚上に圧力を加えるエラストマー材料（レッグエラストマー材料）の皮膚接触圧は、装着者上に引張り装着型おむつ２０を維持するために約０．１ｐｓｉ未満であってはならない、好ましくは約０．２ｐｓｉ未満であってはならない、より好ましくは約０．３ｐｓｉ未満であってはならない。皮膚上に圧力を加えるエラストマー材料（レッグエラストマー材料）の皮膚接触圧は、伸張性区域における皮膚締め付け跡の発生を惹起させないためには約０．７５ｐｓｉ以下でなければならない、好ましくは約０．６５ｐｓｉ以下でなければならない、より好ましくは約０．５５ｐｓｉ以下でなければならない。皮膚上に圧力を加えるエラストマー材料の皮膚接触圧を入手する方法は下記で説明される。
【０１１６】
ウエスト開口部周囲の伸張性区域内の皮膚上に圧力を加えるエラストマー材料の皮膚接触圧は、ウエスト開口部の周囲での引張り装着型おむつの持続性フィットを提供するために伸張性区域内の残りの領域での皮膚上に圧力を加えるエラストマー材料の皮膚接触圧より高くてよい。レッグ開口部周囲の伸張性区域内の皮膚上に圧力を加えるエラストマー材料の皮膚接触圧は、レッグ開口部の周囲での引張り装着型おむつの持続性フィットを提供するために伸張性区域内の残りの領域での皮膚上に圧力を加えるエラストマー材料の皮膚接触圧より高くてよい。伸張性区域内でのウエスト開口部の周囲およびレッグ開口部の周囲で皮膚上に圧力を加えるエラストマー材料の皮膚接触圧は、伸張性区域内の領域の残りで皮膚上に圧力を加えるエラストマー材料の皮膚接触圧より高くてよい。伸張性区域内で皮膚上に圧力を加えるエラストマー材料の最大皮膚接触圧と皮膚上に圧力を加えるエラストマー材料の最小皮膚接触圧との差は、約０．６５ｐｓｉ未満でなければならない、好ましくは０．４５ｐｓｉ未満でなければならない、より好ましくは０．２５ｐｓｉ未満でなければならない。差がゼロに近づくにつれて、皮膚上に圧力を加えるエラストマー材料の皮膚接触圧はあらゆる場所で均一に近づく。これはさらに相違する圧力によって惹起される皮膚締め付け跡の発生を低下させるのに貢献する。
【０１１７】
引張り装着型おむつ２０はさらにまた、内側バリヤーカフ５４のスペーシング手段５８のような追加のエラストマー材料を備える。引張り装着型おむつ２０に組み込まれたこれらの追加のエラストマー材料が約０．７５ｐｓｉ以下である装着者の皮膚上に圧力を加える追加のエラストマー材料の皮膚接触圧を与えることが好ましい。好ましくは、装着者の皮膚上に圧力を加える追加のエラストマー材料の皮膚接触圧は、約０．６５ｐｓｉ以下でなければならない、より好ましくは約０．５５ｐｓｉ以下でなければならない。
【０１１８】
伸張性区域内で皮膚上に圧力を加えるエラストマー材料の皮膚接触圧を測定する方法を下記で説明する。軟質材料間で発生する表面接触圧を測定するための「ＡＭＩエアパック型接触面圧測定システム（ＡＭＩ  Ａｉｒ−Ｐａｃｋ  Ｔｙｐｅ  Ｃｏｎｔａｃｔ  Ｓｕｒｃａｃｅ  Ｐｒｅｓｓｕｒｅ  Ｍｅａｓｕｒｅｍｅｎｔ  Ｓｙｓｔｅｍ）」と題する方法は、ＡＭＩ  Ｃｏ．，Ｌｔｄによって市販で提供されている。この方法が、おむつと装着者の身体間の接触圧を測定するために修正される。指示された空気圧は、そこから材料の延性によって吸収される力が差し引かれている接触面の力を表している。感知部は、本体へ通されているチューブの極めて軟質の薄層フィルムから作られたエアパックから構成されており、測定値はＤＣ出力へ転換される（１０ｍＶ＝１ｇｆ／ｃｍ２）。
【０１１９】
本方法は下記のサンプルの準備を必要とする。
【０１２０】
（１）試験されるサンプルおむつを袋から取り出さなければならない。
【０１２１】
（２）５０％引き伸ばし状態下でエラストマー材料の実際的エラストマー構成要素（すなわち、弾性ストランド）の幅を測定し、エラストマー構成要素の面積率を計算する。
【０１２２】
本試験方法は下記の装置を含む。
【０１２３】
「ＡＭＩエアパック型接触面圧測定システム（ＡＭＩ  Ａｉｒ−Ｐａｃｋ  Ｔｙｐｅ  Ｃｏｎｔａｃｔ  Ｓｕｒｃａｃｅ  Ｐｒｅｓｓｕｒｅ  Ｍｅａｓｕｒｅｍｅｎｔ  Ｓｙｓｔｅｍ）」と題するこの方法は、下記の装置を含む。
【０１２４】
（１）エアパック        ＡＭＩ  Ｃｏ．，Ｌｔｄ  φ１５ｍｍモデル
（２）本体              ＡＭＩ  Ｃｏ．，Ｌｔｄ  ＡＭＩ３０３７−２
（３）オプション装置    ＡＭＩ  Ｃｏ．，Ｌｔｄ  ＡＭＩ３０３７−２Ｂ
（４）エアシリンダー    ＡＭＩ  Ｃｏ．，Ｌｔｄ
（５）校正セット        ＡＭＩ  Ｃｏ．，Ｌｔｄ
（６）データ収集装置    ＡＮＲＩＴＳＵ  ＭＥＴＥＲ  Ｃｏ．，Ｌｔｄ
ＡＭ−７０５２
（７）データ変換ソフトウエア    ＡＮＲＩＴＳＵ  ＭＥＴＥＲ  Ｃｏ．，Ｌｔｄ
ＤＡＴＡ  ＣＯＬＬＥＣＴＯＲ  Ｓｙｓｔｅｍ
ＡＭＳ７００６  ＷＩＮ  ｖｅｒ．２．０  ｆｏｒ  Ｗｉｎｄｏｗｓ
上記に記載のこの試験装置は下記の設定を必要とする。
【０１２５】
（１）アウトプットケーブルを本体のアウトプットコネクターへ接続し、アウトプットケーブルの反対側をデータコレクターへ接続する。
【０１２６】
（２）電源スイッチを入れる。
【０１２７】
（３）ギヤを使用し、エアシリンダーのヘッドを最短長さにおける端部へ押す。
【０１２８】
（４）エアパックをエアシリンダーへ接続する。
【０１２９】
（５）ピンをギア上の青色ヘッド内に挿入し、ピンが端部にくるまでギヤを回し、３秒間待つ。
【０１３０】
（６）エアシリンダーの圧力を周囲圧力と同一にさせるために解除レバーを押し、３秒間待つ。
【０１３１】
（７）色がエアパックと同一であるギアの穴の中にピンを挿入し、ピンが端部にくるまでギヤを回す。
【０１３２】
（８）エアシリンダーからエアパックを取外し、ピンが端部にくるまでギヤを回す。
【０１３３】
（９）本体からのアウトプット信号が５ｍＶ（０．５ｇｆ／ｃｍ２）の遊びを含めてゼロに近いかどうかをチェックする。
【０１３４】
（１０）エアパックを本体に接続する（接続は１回の動作で行わなければならない。新たに接続する場合は、エアパックの内部容積を変更しなければならない）
（１１）エアパックから空気を全部排気させるために手の平または指でエアパックを押し、本体から伝送されるアウトプット信号をチェックし、これが最大測定値であり、システムが最大測定値を超える数値を測定できないことに注意する。接触面が過度に屈曲している場合、および本体からのアウトプット信号が＋２０ｍＶ（２ｇｆ／ｃｍ２）を越える場合は、エアシリンダーを接続し、解除レバーを押す。
【０１３５】
（１２）標準測定のためには少なくとも２個のエアパックを準備する。
【０１３６】
本方法は下記のような標準マネキンを必要とする。
【０１３７】
図２０および２１に示されている標準マネキン３５０は、装着者の座った格好にある身体形状が模倣されている。標準マネキン３５０の形状および寸法は、実際のおむつ使用者から取り出された身体寸法データに基づいていなければならない。標準マネキン３５０は、上方部分３５２および下方部分３５４を有する。上方部分３５２および下方部分３５４は、下方胴体線３８０によって分割される。下方胴体線３８０は恥骨の上方部分を通る周方向線である。胴体部分３５３は、胴体部分３５３の最上ウエストの周囲の周方向線であるウエストライン３５７によって取り囲まれた上方表面３５５（図２２に示されている）を有する。胴体部分３５３は、ウエストライン３５７と下方胴体線３８０との間の高さによって限定される高さを有する。胴体部分３５３の周囲は、ウエストライン３５７から下方胴体線３８０に向かって徐々に増加する。下方部分３５４は、下方部分３５４の後方での臀部部分３５６、および下方部分３５４の前方で臀部部分３５６から突き出ているレッグ部分３５８を含む。臀部部分３５６およびレッグ部分３５８は、身体の前方での厚い折り目に沿って股折り目線３５９によって分割される。２つのレッグ部分３５８は、太腿の内側３６４間で範囲が定められた角度である股角度３６２を有する。レッグ部分３５８は、レッグ部分３５８の大腿に沿った周方向線である大腿線３６６を有する。上方表面３５５は、直線および曲線を備えるウエストライン３５７に取り囲まれた形状を有する。図２２は、実際の装着者の寸法に基づいて決定される上方表面３５５の形状の２つの好ましい例を示している。標準マネキンは塩化ビニルから作られる。
【０１３８】
約７．０ｋｇ〜約１０．０ｋｇの体重の装着者にフィットするように設計されたオムツのための標準マネキンの実際寸法は下記に示されている：
ウエストラインでの周囲：４６０ｍｍ
下方胴体線での周囲：４７０ｍｍ
股折り目線での周囲：３１０ｍｍ
大腿線での周囲：２７５ｍｍ
胴の高さ：７５ｍｍ
股角度：約６０度
約９．０ｋｇ〜約１４．０ｋｇの体重の装着者にフィットするように設計されたオムツのための標準マネキンの実際寸法は下記に示されている：
ウエストラインでの周囲：４９５ｍｍ
下方胴体線での周囲：５０５ｍｍ
股折り目線での周囲：３３０ｍｍ
大腿線での周囲：２９０ｍｍ
胴の高さ：８０ｍｍ
股角度：約６０度
約１３．０ｋｇ以上の体重の装着者にフィットするように設計されたオムツのための標準マネキンの実際寸法は下記に示されている：
ウエスト線での周囲：５２０ｍｍ
下方胴体線での周囲：５３０ｍｍ
股折り目線での周囲：３５０ｍｍ
大腿線での周囲：３０５ｍｍ
胴の高さ：８５ｍｍ
股角度：約６０度
ウエストエラストマー材料およびサイドエラストマー材料のための測定ポイントは下記のようにして決定する。
【０１３９】
ポイントＰ１は、胴部分の右側でのウエスト湾曲線の最小半径のポイントである。ポイントＰ２は、胴部分の左側でのウエスト湾曲線の最小半径のポイントである。ポイントＰ３は、胴部分の後方の中央のポイントである。ポイントＰ４は、胴部分の前方の中央のポイントである。測定のためのポイントＰ１、Ｐ２、Ｐ３およびＰ４はウエスト線の約１０ｍｍ下方に取り付けられなければならず、さらにサンプルおむつのウエスト材料によって完全に被覆されなければならない。ポイントＰ５は右レッグ部分の前方にあるポイントであり、ポイントＰ６は左レッグ部分の前方にあるポイントである。測定ポイントＰ５およびＰ６のためのエアパックは、マネキンのレッグ部分に接触しているエラストマー材料の直下に取り付けられなければならない。
【０１４０】
レッグエラストマー材料のための測定ポイントは、エラストマー材料が標準マネキンの皮膚上に圧力を加えるポイントである。
【０１４１】
本方法は下記のように実行する：
（１）上記の設定に従って圧力測定システムをセットアップする。
【０１４２】
（２）サンプルおむつを準備し、おむつを標準マネキンに取り付ける。
【０１４３】
（３）ポイントＰ１およびＰ２に２個のエアパックを置き、圧力を測定する。
【０１４４】
（４）圧力測定データを記録し、圧力信号が５ｍＶ（０．５ｇｆ／ｃｍ２）の遊びを含めてゼロの近くへ回復するかどうかチェックする。
【０１４５】
（５）ポイントＰ３およびＰ４に２個のエアパックを置き、圧力を測定する。
【０１４６】
（６）圧力測定データを記録し、圧力信号が５ｍＶ（０．５ｇｆ／ｃｍ２）の遊びを含めてゼロの近くへ回復するかどうかチェックする。
【０１４７】
（７）ポイントＰ５およびＰ６に２個のエアパックを置き、圧力を測定する。
【０１４８】
（８）圧力測定データを記録し、圧力信号が５ｍＶ（０．５ｇｆ／ｃｍ２）の遊びを含めてゼロの近くへ回復するかどうかチェックする。
【０１４９】
（９）１つのサンプルおむつについてステップ２〜８を繰り返す。
【０１５０】
データは下記のように評価する。
【０１５１】
（１）「伸張性区域内の局所的平均皮膚接触圧」は、測定電圧をｐｓｉへ変換することによって入手する（１０ｍＶ＝１ｇｍ／ｃｍ２）。
【０１５２】
（２）その後「皮膚上に圧力を加えるエラストマー材料の皮膚接触圧」は、上記で入手された「伸張性区域内の局所的平均皮膚接触圧」をエラストマー構成要素の面積率によって割ることによってｐｓｉで入手される。
【０１５３】
ここで記載された実施例および実施形態は短に例示を目的としており、本発明の範囲から逸脱することなく当業者には様々な修正または変更が示唆されるであろうと理解されている。
【０１５４】
【図面の簡単な説明】
本明細書には本発明を形成すると見なされる主題を特別に指摘し、かつ明確にクレームしている請求項が記載されているが、本発明は、その中では同様の番号が実質的に同一の要素を指定するために使用されている添付の図面と結び付けられている下記の説明を読むことによってより明確に理解されるであろうと考えられる。
【図１】  典型的な使用時の形状にある本発明の使い捨て引張り装着型衣料品の好ましい実施形態の斜視図である。
【図２】  衣料品の種々のパネルを示している平坦な収縮していない、継ぎ合わされていない状態にある本発明の使い捨て引張り装着型衣料品の簡易平面図である。
【図３】  平坦な収縮していない、継ぎ合わされていない状態にある図１に示された実施形態の簡易平面図である。
【図４】  引張り装着型衣料品のその他の要素を排除して、トップシート、バックシートおよびそれらの間の吸収性コアを備えるシャシーを示している図３の実施形態の略簡易平面図である。
【図５】  図３の切断線４−４に沿って切り取られた好ましい実施形態の断面図である。
【図６】  伸張性耳および伸張性ウエストバンドを有する使い捨て引張り装着型衣料品を示している、図３の実施形態の略簡易平面図である。
【図７】  図３の切断線６−６に沿って切り取られた好ましい実施形態の断面図である。
【図８】  ある好ましい実施形態の弾性部材の断面斜視図である。
【図９】  図５に示されている弾性部材の部分拡大側面図である。
【図１０】  ある好ましい実施形態における、エラストマー材料の２連続サイクルのヒステレシス曲線を示しているグラフである。
【図１１】  エラストマー材料の代替実施形態の拡大部分斜視図である。
【図１２】  図３の切断線６−６に沿って切り取られた代替実施形態の断面図である。
【図１３】  図１に示されている実施形態の正面図である。
【図１４】  使い捨て引張り装着型衣料品の代替実施形態の正面図である。
【図１５】  本発明の使い捨て引張り装着型衣料品の連続ベルト区域の力対伸張率曲線の図である。
【図１６】  図１５に示されている力対伸張率曲線から入手された伸張係数対伸張率曲線の図である。
【図１７】  皮膚接触圧を測定するために使用された標準マネキンの斜視図である。
【図１８】  図１７に示された標準マネキンの側面図である。
【図１９】  図１７に示された標準マネキンの平面図である。
【図１】
0004307726.tif 000002
【図２】
0004307726.tif 000003
【図３】
0004307726.tif 000004
【図４】
0004307726.tif 000005
【図５】
0004307726.tif 000006
【図６】
0004307726.tif 000007
【図７】
0004307726.tif 000008
【図８】
0004307726.tif 000009
【図９】
0004307726.tif 000010
【図１０】
0004307726.tif 000011
【図１１】
0004307726.tif 000012
【図１２】
0004307726.tif 000013
【図１３】
0004307726.tif 000014
【図１４】
0004307726.tif 000015
【図１５】
0004307726.tif 000016
【図１６】
0004307726.tif 000017
【図１７】
0004307726.tif 000018
【図１８】
0004307726.tif 000019
【図１９】
0004307726.tif 000020